(57)【要約】アップリンク無線リソースを管理するシステム、方法、及び、装置。ＲＲＡＭが、個々のＱｏＳ要件に応じて加入者ステーションのリソースを保証するために選択的レート低減を適用する。新しいＤＤＣＨに対する要求に応答して、ＲＲＡＭは、データ転送レートが低く、メディア予約のない、加入者ステーションを取り除くことができる。加入者ステーションからのトラフィック測定レポートに応答して、ＲＲＡＭは、加入者ステーションのデータ転送レートを増減することを試みる。アップリンク・リソースが不充分であると、ＲＲＡＭは、高速の加入者ステーションのレートを減少させようとする。減少する加入者ステーションを探し求めるために、ＲＲＡＭは、最高レートから開始し、より低いデータ転送レートを好適な候補が見つけ出されるまで、探し求め続ける。ＲＲＡＭはまた、他の加入者ステーションに再配分されることのない加入者ステーションのリソースを予約する。
2005539414.tif 000002
【特許請求の範囲】
【請求項１】
無線リソース及びアクセス・マネージャを含む基地局と、複数の加入者ステーションと、を含むネットワークにおいて、少なくとも１つのアップリンク専用データ・チャネルの割り当てに対する要求を管理する方法であって、
前記基地局が、割り当てられていない専用のデータ・チャネルのプールから専用のデータ・チャネルを割り当てることができ、割り当てられたチャネルにデータ転送レート能力を割り当てるために無線リソースの一部を配分することができ、
前記方法は、
ａ）前記基地局において、前記複数の加入者ステーションの１つの加入者ステーションから専用のデータ・チャネルのための要求を受信し、
ｂ）前記無線リソース及びアクセス・マネージャは、前記要求されたデータ・チャネルを提供するために利用できる充分な無線リソースがあるかどうか、及び、専用のデータ・チャネルが割り当てられていない専用のデータ・チャネルの前記プールからの割り当てに対して利用できるどうか、を判断し、
ｉ）前記リソース及び前記専用のデータ・チャネルが利用できる場合、ステップ（ｅ）に進み、
ｉｉ）前記必要なリソースが利用できない場合、ステップ（ｄ）に進み、
ｉｉｉ）前記リソースが利用できるが、前記専用のデータ・チャネルが利用できない場合、ステップ（ｃ）に進み、
ｃ）割り当てられた専用のデータ・チャネルを備えた前記複数の加入者ステーションからの少なくとも１つの他の加入者ステーションが、割り当てられていない専用のデータ・チャネルの前記プールに戻された前記割り当てられた専用のデータ・チャネルを有するに適しているかどうかを判断し、
ｉｖ）少なくとも１つの他の加入者ステーションが、戻された前記割り当てられた専用のデータ・チャネルを有するに適している場合、前記割り当てられた専用のデータ・チャネルを割り当てられていない専用のデータ・チャネルの前記プールに戻して、ステップ（ｅ）に進み、
ｖ）少なくとも１つの他の加入者ステーションが、戻された前記割り当てられた専用のデータ・チャネルを有するに適していない場合、前記方法を終了し、
ｄ）第１のデータ転送レート能力を有する割り当てられた専用チャネルを備えた少なくとも１つの他の加入者ステーションが、無線リソースを利用できるようにするためにより低いデータ転送レート能力に減少できるかどうか判断し、前記利用できる関連付けられた無線リソースを使えるようにするために前記第１のデータ転送レート能力を減少させ、
ｖｉ）少なくとも１つの加入者ステーションが存在する場合、ステップ（ｂ）に戻り、
ｖｉｉ）少なくとも１つの加入者ステーションが存在しない場合、前記方法を終了し、
（ｅ）割り当てられていない専用のデータ・チャネルの前記プールからの前記専用のデータ・チャネルを前記１つの加入者ステーションに割り当てる、
前記方法。
【請求項２】
ステップ（ｃ）において、前記少なくとも１つの他の加入者ステーションは、予約されたアップリンク・リソースを有していない場合に限り、適している、請求項１に記載の方法。
【請求項３】
ステップ（ｃ）において、前記少なくとも１つの他の加入者ステーションは、少なくとも、予約されたアップリンク・リソースを有さない他の加入者ステーションと同様の低いデータ転送レートを有する場合に限り、適している、請求項２に記載の方法。
【請求項４】
ステップ（ｃ）において、前記少なくとも１つの他の加入者ステーションは、少なくとも、予約されたアップリンク・リソースを有さない他の加入者ステーションと同様の長い期間にわたって前記データ転送レートにある場合に限り、適している、請求項３に記載の方法。
【請求項５】
ステップ（ｃ）において、前記少なくとも１つの他の加入者ステーションは、少なくとも予め選択された最小保持時間にわたって前記データ転送レートにある場合に限り、適している、請求項４に記載の方法。
【請求項６】
基地局及び複数の加入者ステーションを含むネットワークにおいて、アップリンク・リソースの配分を管理する方法であって、
現在のデータ転送レートを提供するように可能なデータ転送レートのセットから、アップリンク・リソースを前記複数の加入者ステーションの各々は個々に割り当てられ、
ａ）前記複数の加入者ステーションの１つの加入者ステーションから前記基地局でメッセージを受信し、
ｉ）前記メッセージが送信待ち高トラフィック量、及び、送信待ち低トラフィック量のうちの１つを示す場合、前記加入者ステーションのための可能なデータ転送レートの前記セットから、現在のデータ転送レートとは異なるデータ転送レートである、所望のデータ転送レートを決定し、
ｉｉ）前記メッセージが送信待ち高トラフィック量、及び、送信待ち低トラフィック量のうちの１つを示さない場合、前記メッセージを無視し、前記方法を終了し、
ｂ）前記１つの加入者ステーションに対する前記所望のデータ転送レートを許可するために、充分なアップリンク・リソースが利用できるかどうかを判断し、
ｉｉｉ）充分なアップリンク・リソースが利用できる場合、ステップ（ｅ）に進み、
ｉｖ）充分なネットワークが利用できない場合、ステップ（ｃ）に進み、
ｃ）前記少なくとも１つの他の加入者ステーションのための前記現在のデータ転送レートが、前記少なくとも１つの加入者ステーションに配分された最低データ転送レートよりも大きい場合、前記少なくとも１つの他の加入者ステーションはより低いデータ転送レートに適しているときに、前記複数の加入者ステーションからの少なくとも１つの他の加入者ステーションが、より低いデータ転送レートに適しているかどうかを判断し、
ｖ）少なくとも１つの他の加入者ステーションが前記より低いデータ転送レートに適している場合、ステップ（ｄ）に進み、
ｖｉ）少なくとも１つの他の加入者ステーションが前記より低いデータ転送レートに適していない場合、前記メッセージを無視し、前記方法を終了し、
ｄ）前記より低いデータ転送レートに適する前記少なくとも１つの他の加入者ステーションからのどの特定の加入者ステーションが、前記レートの減少を受けることになるかを判断し、前記特定の加入者ステーションを前記より低いレートに移動し、ステップ（ｂ）に戻り、
ｅ）前記１つの加入者ステーションを、該加入者ステーションの前記現在のデータ転送レートからの前記所望のデータ転送レートに移動させる、
前記方法。
【請求項７】
ステップ（ｃ）において、前記少なくとも１つの他の加入者ステーションは、少なくとも予め選択された最小保持時間にわたって前記データ転送レートにある場合に限り、適している、請求項６に記載の方法。
【請求項８】
前記所望のデータ転送レートが、データ転送レートの前記セットからのデータ転送レートであり、
データ転送レートの前記セットにおける前記現在のデータ転送レートよりも一段階低いレート、及び、一段階高いレートのうちの１つである、
請求項６に記載の方法。
【請求項９】
前記最小データ転送レートが、前記少なくとも１つの加入者ステーション上の予約されたアップリンク・リソースの前記和である、請求項６乃至請求項８に記載の方法。
【請求項１０】
基地局及び複数の加入者ステーションを含むネットワークにおける加入者ステーションに最小アップリンク・データ転送レートを配分する方法であって、
前記複数の加入者ステーションの各々が、可能なデータ転送レートのセットからの現在のデータ転送レートを各々配分され、前記データ転送レートがアップリンク無線リソースの量を変更することを要求し、
前記方法は、
ａ）前記複数の加入者ステーションの１つの加入者ステーションから前記基地局で予約要求を受信し、
ｂ）前記最小データ転送レートを前記１つの加入者ステーションに配分するために、充分なアップリンク無線リソースが利用できるかどうかを判断し、
ｉ）充分なアップリンク無線リソースが利用できる場合、ステップ（ｅ）に進み、
ｉｉ）充分なアップリンク無線リソースが利用できない場合、ステップ（ｃ）に進み、
ｃ）前記複数の加入者ステーションからの少なくとも１つの他の加入者ステーションがより低いデータ転送レートに適しているかどうかを判断し、
ｉｉｉ）少なくとも１つの他の加入者ステーションが前記より低いデータ転送レートに適している場合、ステップ（ｄ）に進み、
ｉｖ）少なくとも１つの他の加入者ステーションが前記より低いデータ転送レートに適していない場合、前記予約要求を無視し、前記方法を終了し、
ｄ）前記より低いデータに適している前記少なくとも１つの他の加入者ステーションからのどの特定の加入者ステーションが前記より低いデータ転送レートに移動されることになるかを判断し、前記特定の加入者ステーションを前記より低いデータ転送レートに移動し、ステップ（ｂ）に戻り、
ｅ）前記最小データ転送レートを前記１つの加入者ステーションに配分する、
前記方法。
【請求項１１】
前記最小データ転送レートが、前記加入者ステーションの前記現在のデータ転送レートとは異なる、請求項１０に記載の方法。
【請求項１２】
ステップ（ｃ）において、前記少なくとも１つの他の加入者ステーションは、少なくとも予め選択された最小保持時間にわたって前記データ転送レートである場合に限り、適している、請求項１０に記載の方法。
【請求項１３】
前記最小データ転送レートが、前記少なくとも１つの加入者ステーション上の予約されたアップリンク・リソースの前記和である、請求項１０乃至１２に記載の方法。
【請求項１４】
所定の最大アップリンク負荷レベルを有するネットワークにおいてアップリンク負荷を管理する方法であって、
前記ネットワークが、基地局及び複数の加入者ステーションを含み、
前記複数の加入者ステーションの各々が、可能なデータ転送レートのセットからの現在のデータ転送レートを個々に配分され、
ａ）前記ネットワークにおける前記全体のアップリンク負荷を決定し、
ｂ）前記負荷が前記最大アップリンク負荷の予め選択された範囲の内にある場合、適している加入者ステーションが前記複数の加入者ステーション内に存在するかどうかを判断し、前記適している加入者ステーションが、現在のデータ転送レートから可能なデータ転送レートの前記セット内のより低いデータ転送レートに減少されたデータ転送レートを有することができ、前記現在のデータ転送レートをより低いデータ転送レートに減少し、ステップａ）に戻り、
ｃ）前記負荷が前記最大アップリンク負荷の予め選択された範囲の内にあり、適している加入者ステーションが存在しない場合、現在のデータ転送レートが０に減少される少なくとも１つの加入者ステーションを決定し、前記現在のレートを０に減少し、ステップ（ａ）に戻る、
前記方法。
【請求項１５】
ステップ（ｃ）において、前記決定された加入者ステーションが前記複数の加入者ステーションからランダムに選択される、請求項１４に記載の方法。
【請求項１６】
ステップ（ａ）において、前記適している加入者ステーションは、予約されたアップリンク・リソースを有さず、予約されたアップリンク・リソースを有さない他の加入者ステーションと少なくとも同様の高いデータ転送レートを備える、前記複数の加入者ステーションのうちの１つである、請求項１５に記載の方法。
【請求項１７】
ステップ（ａ）において、前記より低いデータ転送レートは、可能なデータ転送レートの前記セットにおいて一段階低い、請求項１５に記載の方法。
【請求項１８】
ステップ（ｂ）において、前記適している加入者ステーションは、予約されたアップリンク・リソースを有さず、予約されたアップリンク・リソースを有さない他の加入者ステーションと少なくとも同様の高いデータ転送レートを備える、前記複数の加入者ステーションのうちの１つである、請求項１５に記載の方法。
【請求項１９】
マイクロプロセッサ、モデム、無線通信機、及び、アンテナを有する複数の加入者ステーションであって、各加入者ステーションが、基地局から専用のデータ・チャネルのための要求を送信するように動作可能である、前記複数の加入者ステーションと、
マイクロプロセッサ、モデム、無線通信機、及び、アンテナを有する基地局であって、専用のデータ・チャネルのための前記要求を受信し、請求項１に記載される方法に従って利用できる専用のデータ・チャネルのプールから、要求している加入者ステーションに専用のデータ・チャネルを割り当てるように、動作可能である、前記基地局と、
を含む、データを送信するためのシステム。
【請求項２０】
前記複数の加入者ステーションの各々が、前記基地局にメッセージを送信するように動作可能であり、
前記メッセージが、前記基地局に送信されるべき待ち行列パケットの一レベルの送信待ち高トラフィック量、及び、送信待ち低トラフィック量のうちの１つを示す、請求項１９に記載のシステム。
【請求項２１】
前記基地局が、前記メッセージを受信することに応答して、前記複数の加入者ステーションの各々を可能なデータ転送レートのセットにおける異なるデータ転送レートに移動させることができる、請求項１９に記載のシステム。
【請求項２２】
前記基地局が、請求項６に記載の方法にしたがって、前記複数の加入者ステーションの各々を可能なデータ転送レートの前記セットにおける異なるデータ転送レートに移動させることができる、請求項２１に記載のシステム。
【請求項２３】
前記複数の加入者ステーションの各々が、予約されたアップリンク・リソースを要求するメッセージを前記基地局に送信するように動作可能である、請求項１９に記載のシステム。
【請求項２４】
前記基地局が、要求している加入者ステーションに対する予約されたアップリンク・リソースを要求する前記メッセージに応答して前記予約されたアップリンク・リソースを配分するように動作可能である、請求項２１に記載のシステム。
【請求項２５】
前記基地局が、請求項１０に記載の方法に従って前記予約されたアップリンク・リソースを前記加入者ステーションに配分する、請求項２４に記載のシステム。
【請求項２６】
マイクロプロセッサ、モデム、無線通信機、及び、アンテナを有する加入者ステーションであって、
前記加入者ステーションは、可能なデータ転送レートのセットから選択されるデータ転送レートで、専用のデータ・チャネルを介して前記基地局にメッセージを送信するように動作可能であり、
前記メッセージが、前記基地局へ送信されるべき送信待ち高トラフィック量、及び、送信待ち低トラフィック量のうちの１つを示す、
前記加入者ステーション。
【請求項２７】
前記加入者ステーションが、前記加入者ステーションのためのアップリンク・リソースを予約するために、前記基地局に要求を送信するように動作可能である、請求項２６に記載の前記加入者ステーション。
【請求項２８】
マイクロプロセッサ、モデム、無線通信機、及び、アンテナを有する基地局であって、
前記基地局は、専用のデータ・チャネルに対する要求を受信し、専用のデータ・チャネルに対する該要求に応答して、割り当てられていない専用のデータ・チャネルのプールからの専用のデータ・チャネルを割り当てるように動作可能であり、
前記基地局は、前記要求を引き受けるために、割り当てられていない専用のデータ・チャネルの前記プールに、前記専用のデータ・チャネルを戻し、割り当てを解除するように動作可能である、
前記基地局。
【請求項２９】
前記基地局が、加入者ステーションからメッセージを受信するように動作可能であり、
前記メッセージが、前記基地局へ送信されるべき待ち行列パケットの一レベルの送信待ち高トラフィック量、及び、送信待ち低トラフィック量のうちの１つを示し、
前記基地局が、前記メッセージに応答して、前記加入者ステーションを可能なデータ転送レートのセットから選択されるより高いデータ転送レート及びより低いデータ転送レートの一方に移動させるように動作可能である、
請求項２８に記載の基地局。
【請求項３０】
前記基地局が、別の加入者ステーションを可能なデータ転送レートの前記セットから選択されるより低いデータ転送レートに移動させ、前記加入者ステーションを可能なデータ転送レートの前記セットから選択されるより高いデータ転送レートに移動させる、請求項２９に記載の基地局。
【請求項３１】
前記基地局が、請求項６に記載の方法に従って前記加入者ステーション及び前記別の加入者ステーションを各々より高い転送レート及びより低いデータ転送レートに移動させる、請求項３０に記載の基地局。
【請求項３２】
複数のユーザを備えたネットワークにおいてアップリンク・リソースを管理する方法であって、
前記複数のユーザの各ユーザが、可能なデータ転送レートのセットから選択されるデータ転送レートで送信するように動作可能であり、
前記方法は、
（ａ）少なくとも１つのリソース利用度閾値が、前記ネットワークで利用できるリソースの前記最大配分量から安全域の定義量を減じたものに等しい場合に、該少なくとも１つのリソース利用度閾値を定義し、
（ｂ）アップリンク・リソースの第１のユーザへの配分のために該第１のユーザからの要求を受信し、
（ｃ）前記ネットワークの現在の前記リソース利用度が、
（ｉ）前記少なくとも１つのリソース利用度閾値より小さい場合、前記アップリンク・リソースを前記ユーザに配分し、
（ｉｉ）前記少なくとも１つのリソース利用度閾値より大きい場合、前記第１のユーザに再割り当てするために第２のユーザによって放棄されるべきアップリンク・リソースの量を決定し、前記第２のユーザには、少なくとも定義された最小保持時間にわたって最小アップリンク・レートより大きいアップリンク・リソースの一部が割り当てられている場合に、前記第２のユーザに対し前記アップリンク・リソースを放棄するように指示し、前記放棄されたアップリンク・リソースを前記第１のユーザに再配分する、
アップリンク・リソースの管理方法。
【請求項３３】
前記アップリンク・リソースが、複数の専用のデータ・チャネルを含み、
前記少なくとも１つのリソース利用度閾値が、前記複数の専用のデータ・チャネルにおける割り当て可能な専用のデータ・チャネルの数を含む、請求項３２に記載の方法。
【請求項３４】
前記第２のユーザは、予約されたアップリンク・リソースを有さないユーザである、請求項３３に記載の方法。
【請求項３５】
前記第２のユーザが、予約されたアップリンク・リソースを有さず、最も古くからのユーザでもある、請求項３４に記載の方法。
【請求項３６】
前記第２のユーザが、予約されたアップリンク・リソースを有さず、可能なデータ転送レートの前記セットの最低データ転送レートでの前記複数のユーザの中で最も古くからのユーザでもある、請求項３５に記載の方法。
【請求項３７】
前記アップリンク・リソースが、各々割り当てられた専用のデータ・チャネルに対する可能なデータ転送レートの前記セットにおける前記データ転送レートを含み、
前記少なくとも１つのリソース利用度閾値が最大アップリンク負荷を含む、
請求項３３に記載の方法。
【請求項３８】
前記第２のユーザは、前記第１のユーザよりも高いレートを割り当てられたユーザである、請求項３３に記載の方法。
【請求項３９】
前記第２のユーザは、前記第２のユーザの前記割り当てられたデータ転送レートでのより古くからのユーザもである、請求項３８に記載の方法。
【請求項４０】
アップリンク無線リソースを管理し、ネットワークにおけるアップリンク無線リンクへのアクセスとデータ転送レートとを割り当てる方法であって、
該ネットワークが無線基地局及び複数の加入者ステーションを含み、
前記方法は、
（ａ）前記加入者ステーションに利用できる無線リソースの前記現在の量を予め選択された量と比較するステップと、
（ｂ）前記現在の量と前記予め選択された量との前記差が予め選択された安全域よりも小さい場合、割り当てられたレートを減少することができる割り当てられたデータ転送レートを備えた前記複数の加入者ステーションの少なくとも１つを選択し、より多くの無線リソースを利用できるようにするために前記割り当てられたデータ転送レートを減少させ、ステップ（ａ）に戻るステップと、
（ｂ）前記現在の量と前記予め選択された量との前記差が前記安全域より小さく、前記複数の加入者ステーションのどれもがその割り当てられたレートを減少できない場合、前記複数の加入者ステーションの少なくとも１つを選択し、該加入者ステーションに割り当てられたデータ転送レートを０に低下させ、ステップ（ａ）に戻るステップと、
（ｃ）前記現在の量と前記予め選択された量との前記差が前記安全域以上である場合、前記複数の加入者ステーションにおける加入者ステーションが現在のデータ転送レートよりも高いレートの配分を要求しているかどうかを判断し、前記加入者ステーションに割り当てられてた前記データ転送レートを増加させ、ステップ（ａ）に戻るステップと、
（ｄ）ステップ（ａ）に戻るステップと、
を含む、
前記方法。
【発明の詳細な説明】
【技術分野】
【０００１】
本発明は、ネットワーク内部の無線リソース配分の分野に係る。詳細には、本発明は、無線基地局に送信する複数の加入者ステーションに無線リソースを配分するシステム、装置、及び方法に関する。
【背景技術】
【０００２】
「メディア」及び「データ」サービスを共に伝達するために設計されたハイブリッド・ネットワークにおいて、このネットワークは、各加入者の要求を満たすために（１秒当たりのビット数のデータ転送レートとして測定できる）充分な容量を提供することを必要とする。電話呼出、ストリーミング・ビデオなどのメディア・トラフィック（通信量）は、予測可能な容量を必要とする（例えば、Ｇ．７２９ＡＢコーデックを使用する電話呼出が、９．６キロビット／秒を必要とする）が、この容量は保証されなければならない。そうでなければ、待ち時間がメディア・サービスを低下させ、加入者が不満を味わう結果となる。ＨＴＴＰ要求及びＦＴＰサービスなどのデータ・トラフィックは、大きな容量を必要とすることが多いが、加入者は通常、短い待ち時間は許容するものである。しかしながら、待ち時間があまりに長すぎたり、又は、データ転送レートが遅すぎる場合、加入者は不満を示すことになる。
【０００３】
ネットワークはこの容量を提供するために有限量のリソースしか保有していないので、各加入者に充分な容量を提供することは難しいことである可能性がある。無線ベースのネットワークにおいて、有限リソースは、無線帯域幅、伝送パワー・レベルなどを含むことができる。ネットワークが加入者ステーション間に共有リンクを含む場合、これらの無線リソース及び結果として生じる容量は加入者ステーション間に配分されなければならない。例えば、時分割多元接続（ＴＤＭＡ）ネットワークは、リンク上で転送するように時間のスロットをノードに配分し、符合分割多元接続（ＣＤＭＡ）ネットワークは、異なる拡散因子及び／又は伝送パワー・レベルを加入者ステーションに配分することができる。経済的理由で、ネットワーク・オペレータは一般に、最適なデータ転送レート、処理能力、及び経済上の利益を提供するために、ネットワーク・リソースを可能な限り多く配分したいと考え、この場合安全マージンは小さくなる。しかしながら、重大な性能及び／又は安定性の問題を引き起こす可能性があるので、ネットワーク・オペレータは、ネットワーク上に過剰トラフィックを付与しないように注意しなければならない。
【０００４】
ネットワーク・オペレータはまた、種々の加入者ステーション（それらが個々の加入者に所属する携帯電話、ＰＤＡ、無線ネットワーク・カードを備えたラップトップなどであっても）間に利用できる無線リソースを配分する方法にも関心がある。配分は、全ての加入者ステーション間で公平に実行されたり、又は、他の加入者ステーションに対して一部の加入者ステーションのための異なるサービスや、サービス・レベルを優先的に反映するように実行されることができる。例えば、メディア・トラフィックは一般的に待ち時間が許容されず、ＨＴＴＰ要求のような待ち時間が許容されるデータ・トラフィックの上に優先度を付与すべきである。同様に、一部の加入者ステーションは、他の加入者ステーションよりも高速の平均データ転送レートやより良いサービス・レベルに対する費用を払っているかもしれないし、あるいは、その権利が与えられているかもしれない。
【０００５】
集中型無線ベースのネットワークにおいて、複数の加入者ステーションは、単一の基地局（ベース・ステーション）と通信を行なう。基地局は、ネットワーク上の加入者ステーションを承認し、アップリンク（多数から１つのステーションに対する）方向及びダウンリンク（１つのステーションから多数に対する）方向の双方において各加入者ステーションにサービスするためにネットワークのリソースの一部を配分する。基地局がリソース管理を担当するので、基地局が各加入者ステーションに対して充分な容量を保証するために無線リソースを効果的に配分、及び／又は再配分するためにネットワーク・トラフィック・レベルを監視することが必要である。ダウンリンク方向（即ち、基地局から加入者ステーションまで）においては、全てのデータ及びメディア・トラフィックが加入者ステーションへの途中で基地局を直接通過するので、監視は比較的簡単であり、基地局がネットワークの利用を監視し、リソースを配分、それに応じてトラフィックをスケジュールに入れることを可能にする。
【０００６】
アップリンク（即ち、加入者ステーションから基地局までの）・トラフィックを管理することがさらに困難であるのは、個々の加入者ステーションが、一般に、基地局の範囲内の他の加入者ステーションに気付かないので、これらのステーションが現在のネットワーク・トラフィック上の不完全な情報を有するからである。基地局の無線リソース及びアクセス・マネージャ（ＲＲＡＭ）は、ネットワークに対する加入者ステーションの承認、及び、加入者ステーション間のリソースの配分及び再配分を管理することが一般に必要とされる。
【０００７】
ＲＲＡＭ戦略（ストラテジー）は、ネットワークに対し加入者ステーションを承認し、リソース配分の「公平」又は他の基準を満たすようリソースを配分し、さらに、使用が最大閾値に接近するとき、適正なサービスの低下及び／又は安定性を保証するために利用可能なリソースを考慮して使用レベルを管理することに関する。ＲＲＡＭストラテジーは、ネットワークが伝送する予定である異なるタイプのデータ構造（即ち、セッション−ベースのトラフィックや、集中的ＩＰトラフィックなど）に対する特定の物理的チャネル（イーサネット（登録商標）や、無線など）に一般に設計される。
【０００８】
簡易な実施においては、先の送信が失敗した場合、加入者ステーションが随意に送信し、連続的に不規則な間隔で再試行するだけであるＡＬＯＨＡ式プロトコルを使用して、各加入者ステーションは基地局に接続できる。当業者に公知のように、無線環境において、ＡＬＯＨＡ式プロトコルは、容量の使用に関して非常に非効率的である。多数のより精巧なアップリンク・トラフィック管理方式として、ランダム・アクセス・ポーリング、リソース・スケジューリング、及び、予約システムなどが、開発されたり、及び／又は提案されている。これらの問題に対処するために多数のＭＡＣストラテジーを調査した論文がある（非特許文献１を参照）。
【０００９】
当業者に公知であるように、ＣＤＭＡシステムにおいてチャネル・リソースを配分する一般的な方法は、チャネルを過剰供給することである。従来のＩＳ−９５ＣＤＭＡシステムにおいて、チャネルは、最悪の事態の想定に対し大幅な冗長性で設計された固定サイズを有する。過剰供給により、チャネルにおいてある程度のロバスト性を可能にする一方で、過剰供給はネットワーク・リソースの非効率的な使用である。チャネル・サイズが固定であるので、チャネルは、最悪の事態よりは良いシナリオでは、（最大容量の観点から）充分に活用されない。例えば、配分されたチャネルは、１９．２キロビット／秒を備えるかもしれない。チャネル品質に関係なく、加入者は１９．２キロビット／秒で常に送信するだけである。
【００１０】
さらに、チャネルが予約されると、現在チャネル上で何も送信されていないときでも、それらのチャネル・リソースは、ネットワークの残りの部分に対して利用できない。この結果、特に加入者ステーションがＩＰなどの集中的トラフィックを送信しているとき、ネットワーク・リソースを使用することは決して最適ではない。これらの問題は、加入者に対しチャネルを「オーバーブッキング」することによって部分的に緩和されることができる。基地局は、実際の使用の統計的分布により、ネットワークに過負荷をかけることなく加入者のオーバーブッキングをすることができる。しかしながら、安定性を保証するために、オーバーブッキングは、帯域幅が無駄になる不充分な使用の期間と、混雑状態を生じる過剰な使用の期間とを有する傾向がある。
【００１１】
アップリンク・トラフィックを管理する別の方法は、「確率的スケジューリング」の使用である。確率的スケジューリングでは、基地局が各加入者ステーションに「送信確率」を規定する。この送信確率は、加入者ステーションがパケットを送信するという確率である。確率的スケジューリングにより、基地局が集中的ネットワーク・トラフィックをより良く管理することを可能にする。しかしながら、確率的スケジューリングでの１つ問題は、全ての加入者ステーションに、送信していてもいなくても、チャネルが供給されていなければならず、チャネルは、一般に、ほとんどのネットワークにおける有限リソースである。さらに、確率的スケジューリングは、多くの３Ｇシステムによって実施されるように（例えば、非特許文献２）、「セッション−ベースの」又はより多くの接続に適したサービスのために設計され、音声及び従来のＩＰデータ・サービスの混合に対しては最適化されない。
【００１２】
別の提案された解決法「要求割当スケジューリング」は、各トラフィック・チャネルに対するＱｏＳ要請に基づいて帯域幅を配分することを試みる。加入者ステーションは、一般にはランダム・アクセス・チャネル（ＲＡＣＨ）、又は、こうした目的のために提供される他の制御若しくは信号チャネルを用いて、基地局から専用の帯域幅を要求する。基地局は、次に、それ自身のスケジューリング規則によって調整される全体的なネットワーク要求に基づいて各加入者ステーションへの帯域幅配分をスケジュールし、各加入者ステーションに適切な時間に送信することを許可する。異なるタイプのトラフィック、ＱｏＳ要請、及びチャネル構造に対して最適化される各規則セットを備えた多数の異なるスケジューリング規則が可能であるが、このようなシステムは、それでもやはり、基本的に接続に基づいている。
【非特許文献１】アジェイ・グマラ（Ajay Gummalla）、ジョン・リム（John Limb）、「無線メディア・アクセス制御プロトコル（Wireless Medium Access Control Protocols）」、ＩＥＥＥコミュニケーションズ・サーベイ、２０００年第２四半期
【非特許文献２】”第３世代パートナー・プログラム”、[online]、インターネット＜URL： http://www.3gpp.org＞
【発明の開示】
【発明が解決しようとする課題】
【００１３】
利用可能な容量を効率的に使用する、アップリンク・リソースを配分するシステム、装置及び方法を提供することが望まれる。該システム、装置及び方法では、信号に要されるリソース量が充分小さく、多数である可能性のある動作中の加入者の間でリソースを迅速に再配分することができ、かつ、サービスの品質（ＱｏＳ）と加入者間の公平（どのように規定されてもよい）との両方を保証する。該システム、装置及び方法は、異なる使用想定の下で、様々なトラフィック・タイプを送信するネットワークの混雑状態やリソース不足の期間、トラフィックを適正に低下させる。
【課題を解決するための手段】
【００１４】
本発明の目的は、従来技術に関する上記不利点の少なくとも一部を除去したり、又は、緩和する新規なシステム、方法、及び装置を提供することである。本発明の第１の態様の方法は、無線リソース及びアクセス・マネージャを含む基地局と、複数の加入者ステーションと、を含むネットワークにおいて、少なくとも１つのアップリンク専用データ・チャネルの割り当てに対する要求を管理する方法であって、前記基地局が、割り当てられていない専用のデータ・チャネルのプールから専用のデータ・チャネルを割り当てることができ、割り当てられたチャネルにデータ転送レート能力を割り当てるために無線リソースの一部を配分することができ、前記方法は、ａ）前記基地局において、前記複数の加入者ステーションの１つの加入者ステーションから専用のデータ・チャネルのための要求を受信し、ｂ）前記無線リソース及びアクセス・マネージャは、前記要求されたデータ・チャネルを提供するために利用できる充分な無線リソースがあるかどうか、及び、専用のデータ・チャネルが割り当てられていない専用のデータ・チャネルの前記プールからの割り当てに対して利用できるどうか、を判断し、ｉ）前記リソース及び前記専用のデータ・チャネルが利用できる場合、ステップ（ｅ）に進み、ｉｉ）前記必要なリソースが利用できない場合、ステップ（ｄ）に進み、ｉｉｉ）前記リソースが利用できるが、前記専用のデータ・チャネルが利用できない場合、ステップ（ｃ）に進み、ｃ）割り当てられた専用のデータ・チャネルを備えた前記複数の加入者ステーションからの少なくとも１つの他の加入者ステーションが、割り当てられていない専用のデータ・チャネルの前記プールに戻された前記割り当てられた専用のデータ・チャネルを有するに適しているかどうかを判断し、ｉｖ）少なくとも１つの他の加入者ステーションが、戻された前記割り当てられた専用のデータ・チャネルを有するに適している場合、前記割り当てられた専用のデータ・チャネルを割り当てられていない専用のデータ・チャネルの前記プールに戻して、ステップ（ｅ）に進み、ｖ）少なくとも１つの他の加入者ステーションが、戻された前記割り当てられた専用のデータ・チャネルを有するに適していない場合、前記方法を終了し、ｄ）第１のデータ転送レート能力を有する割り当てられた専用チャネルを備えた少なくとも１つの他の加入者ステーションが、無線リソースを利用できるようにするためにより低いデータ転送レート能力に減少できるかどうか判断し、前記利用できる関連付けられた無線リソースを使えるようにするために前記第１のデータ転送レート能力を減少させ、ｖｉ）少なくとも１つの加入者ステーションが存在する場合、ステップ（ｂ）に戻り、ｖｉｉ）少なくとも１つの加入者ステーションが存在しない場合、前記方法を終了し、（ｅ）割り当てられていない専用のデータ・チャネルの前記プールからの前記専用のデータ・チャネルを前記１つの加入者ステーションに割り当てる。
【００１５】
本発明の別の態様の方法は、  基地局及び複数の加入者ステーションを含むネットワークにおける加入者ステーションに最小アップリンク・データ転送レートを配分する方法であって、前記複数の加入者ステーションの各々が、可能なデータ転送レートのセットからの現在のデータ転送レートを各々配分され、前記データ転送レートがアップリンク無線リソースの量を変更することを要求し、前記方法は、ａ）前記複数の加入者ステーションの１つの加入者ステーションから前記基地局で予約要求を受信し、ｂ）前記最小データ転送レートを前記１つの加入者ステーションに配分するために、充分なアップリンク無線リソースが利用できるかどうかを判断し、ｉ）充分なアップリンク無線リソースが利用できる場合、ステップ（ｅ）に進み、ｉｉ）充分なアップリンク無線リソースが利用できない場合、ステップ（ｃ）に進み、ｃ）前記複数の加入者ステーションからの少なくとも１つの他の加入者ステーションがより低いデータ転送レートに適しているかどうかを判断し、ｉｉｉ）少なくとも１つの他の加入者ステーションが前記より低いデータ転送レートに適している場合、ステップ（ｄ）に進み、ｉｖ）少なくとも１つの他の加入者ステーションが前記より低いデータ転送レートに適していない場合、前記予約要求を無視し、前記方法を終了し、ｄ）前記より低いデータに適している前記少なくとも１つの他の加入者ステーションからのどの特定の加入者ステーションが前記より低いデータ転送レートに移動されることになるかを判断し、前記特定の加入者ステーションを前記より低いデータ転送レートに移動し、ステップ（ｂ）に戻り、ｅ）前記最小データ転送レートを前記１つの加入者ステーションに配分する。
【００１６】
本発明は、利用できるアップリンク・リソースの効率的な使用を保証し、アップリンク加入者ステーション間に公平性を付与するために、アップリンク・リソースを管理するシステムを提供する。ＲＲＡＭは、高／低トラフィック量レポート、予約要求、又は、ＲＡＣＨ要求の受信などの、多数の異なるシステム・イベントに応答する。一般に、ＲＲＡＭは、それらを要求する加入者ステーションに対し高速データ転送レート（ＤＤＣＨ）を割り振ろうとする。
【００１７】
ＲＲＡＭは、個々の必要条件に応じて加入者ステーションに対する充分なネットワーク・リソースを保証するために、選択的レート低減ポリシーを用いる。新しいＤＤＣＨに対するＲＡＣＨ要求に応答して、ＲＲＡＭは、低いデータ転送レートにあり、メディア予約のない加入者ステーションを取り除くことができる。加入者ステーションからのトラフィック測定レポートに応答して、ＲＲＡＭは、加入者ステーションのデータ転送レートを増減することを試みる。アップリンク負荷（要求）を満たすために利用できるアップリンク・リソースが充分にない場合（高トラフィック量測定レポートの場合）、ＲＲＡＭは、第１の加入者ステーションのレート増加のための余裕を作るために、その時点でより高いデータ転送レートで送信する別の加入者ステーションのレートを低下させようとする。候補となる高速加入者ステーションを探し求めるために、基地局ＲＲＡＭは、最高レートの探索を開始し、そのレートの最も古い加入者ステーションを確認する。ＲＲＡＭは、好適な候補となる加入者ステーションが見つけ出されるまでより低いデータ転送レートで探し求め続ける。このポリシーは、他の低速加入者ステーションがより多くの帯域幅を要求している場合に、加入者ステーションが高速チャネルを捕捉することを妨げる。多数の加入者ステーションがレート増加を必要としている混雑状況において、高速データ転送レート・チャネルは、各加入者ステーションが一定期間のみにわたって高速チャネルを保持するラウンド−ロビン方式で加入者ステーションに割り当てられる。
【発明を実施するための最良の形態】
【００１８】
本発明の好ましい実施の形態は、単なる例として、添付された図面を参照して以下で説明される。
【００１９】
図１を参照すると、データを伝送するための無線ネットワークが、参照符号２０で示されている。ネットワーク２０は、無線基地局２４及び複数の加入者ステーション２８ａ、２８ｂ、．．．、２８ｎを含んでいる。好ましい実施の形態において、無線基地局２４は、適切なゲートウェイ及び一以上のバックホール（図示せず）により、少なくとも一のデータ通信ネットワーク（図示せず）に接続されている。データ通信ネットワークとしては、例えば、固定ベース交換データ・ネットワーク、パケット・ネットワークなどがある。バックホールとしては、例えば、Ｔ１、Ｔ３、Ｅ１、Ｅ３、ＯＣ３若しくは他の固定リンクに適したもの、、衛星、他の無線またはマイクロ波チャネル、若しくは、当該技術分野においてバックホールとして動作するのに適した任意のリンクであってよい。
【００２０】
基地局２４は、本発明のこの実施の形態において加入者施設内に設置される加入者ステーション２８と通信する。無線ローカル・ループ（ＷＬＬ）・システムではよくあることであるが、明らかなように、加入者ステーションはノマディック・ステーション即ち移動ステーションでもあり得る。基地局２４によってサービスを提供される加入者ステーションの数「ｎ」は、利用できる無線帯域幅の量、及び／又は、加入者ステーション２８の構成及び要件を含む種々の要素に応じて変更できる。
【００２１】
図１に示されるように、基地局２４に対する加入者ステーション２８の地理的分布は、対称的である必要はないし、物理的に互いに近接配置される加入者ステーション２８は、地理的環境（信号を反射したり、又は、マスクするかもしれない建物の有無）や、無線環境（電波雑音源の有無）などを含む種々の要因があるので、必ずしも同一若しくは同様の受信特性である必要はない。このように、たいていの状況において、基地局２４によってサービスを提供される個々の加入者ステーション２８は、大きく異なる受信及び送信（以下「送受信」）特性を有することになり、こうした送受信特性は、経時変化する。当業者に公知であるように、加入者ステーション２８は、単一の基地局位置からサービスを提供できる加入者ステーション２８の数を増加させるために基地局２４においてビーム成形アンテナを介して形成される種々のセクタ（領域）３６に地理的に分割されることができる。このような場合、各セクタ３６は、基本的に異なる基地局としての機能を果たし、基地局２４は、それぞれ他のセクタ３６に関係なく各セクタ３６のネットワーク・リソースを管理することができる。図１では１つの基地局２４のみを示しているが、ネットワーク２０が、加入者ステーション２８の受信可能範囲が重なり合っているセクタ３６を備えた、多数の地理的に分散された基地局２４を含むことができ、さらに、重なり合うセクタ３６の受信可能地域における各加入者ステーション２８が、どの基地局２４によってサービスを提供されるかを選択できることも、当業者によって理解できるであろう。
【００２２】
通信リンク３２は、基地局２４、及び、セクタ３６の各加入者ステーション２８の間で無線を介して各セクタ３６内に設定される。通信リンク３２ａは、基地局２４及び加入者ステーション２８ｂの間に転送される情報を伝達し、通信リンク３２ｂは、基地局２４と、加入者ステーション２８ｃ、２８ｄとの間に転送される情報を伝達する。通信リンク３２は、ＴＤＭＡ、ＦＤＭＡ、ＣＤＭＡ、又は、ＧＳＭなどのハイブリッド・システムを含む種々の多重アクセス技術を使用して実施することができる。本実施の形態において、通信リンク３２上で送信されたデータは、多重アクセス技術としてＣＤＭＡを使用して送信され、データは、スロット時間フレームにカプセル化されたパケット形式であり、この詳細は、後述される。
【００２３】
本明細書中で使用される、「パッケージ」、「パッケージ化された」、及び「パッケージ化」という用語は、対象とされる宛先受信者側でのその受信用のデータの送信の全体的アレンジを示している。データのパッケージ化は、（符合化なしから高レベルの符合化及び／又は異なる符号化方法までの）異なるレベルの順方向誤り修正（ＦＥＣ）コードを適用することや、種々のレベルの記号反復を用いることや、異なる変調方式（４−ＱＡＭ、１６−ＱＡＭ、６４−ＱＡＭなど）を用いることや、さらに、必要とされるリソースの無線（又は他の物理層）の量、データ転送レート、及び、送信に適した伝送エラーの確率の選択と共にデータ転送をアレンジするための他の技術若しくは方法を含むことができる。しかしながら、本発明のデータのパッケージ化はこれらに限定されるものではない。例えば、第１の対象の受信側に伝送するために、データはレート１／４ＦＥＣ符合化（それぞれ１つのデータビットが４ビットの情報において送信される）及び１６−ＱＡＭ変調でパッケージ化されることができ、第１の受信側より良い受信特性を有する第２の対象の受信側に伝送するために、レート１／２ＦＥＣ符合化及び６４−ＱＡＭ変調でパッケージ化されることができる。
【００２４】
通信リンク３２は、アップリンク（加入者ステーション２８から基地局２４への）方向及びダウンリンク（基地局２４から加入者ステーション２８への）方向の両方向において作動する。アップリンク及びダウンリンクの両方向を提供する方法は特に制限されないが、本実施の形態において、通信リンク３２は周波数分割二重通信（ＦＤＤ）によって作動する。しかしながら、時分割二重通信（ＴＤＤ）及びこれらのハイブリッド方式などの、アップリンク及びダウンリンクの両方向を提供する他の方法は、本発明の範囲内である。
【００２５】
ここで図２を参照すると、本実施の形態において、通信リンク３２は複数のチャネルから構成され、これは、このＣＤＭＡ実施法において、リンク３２の直交符合化で実現される。ダウンリンク方向において、基地局２４は、セクタ３６における全ての加入者ステーション２８に信号及びデータ転送を行なうためにブロード・キャスト・データ・チャネル（ＢＤＣＨ）３８を使用する。
【００２６】
個々のＤＤＣＨ４０は、基地局２４、及び、基地局２４にデータを送信する必要がある各加入者ステーション２８の間にセットアップされ、ＤＤＣＨ４０は、必要に応じて、種々のデータ転送レート能力を提供するために適切にサイズ決定されることができる。これらＤＤＣＨは、アップリンク及びダウンリンクにおけるデータ転送レート能力が異なる可能性があるが、双方向性である。
【００２７】
ＤＤＣＨ４０を必要とする加入者ステーション２８（即ち、これらはＤＤＣＨ４０を確立していない）は、ランダム・アクセス・チャネル（ＲＡＣＨ）４２を使用してそのセットアップを要求する。ＲＡＣＨ４２がセクタ３６内における全ての加入者ステーション２８の間で共有されるので、スロットＡｌｏｈａ方式プロトコルは、ＲＡＣＨ４２上の多重アクセス技術として使用される。信号トラフィックは、加入者ステーション２８に割り振られるＤＤＣＨ４０を使用して加入者ステーション２８から基地局２４へと、普通は伝達されるが、上述のＤＤＣＨに対する要求などの一部の信号は、ＲＡＣＨ４２によって伝達できる。
【００２８】
図３は、基地局２４の一例を更に詳細に示す。明確にするために、図３は単一セクタの基地局２４の例を示している。しかしながら、上記のように、マルチ−セクタ基地局２４もまた、本発明の範囲内にある。基地局２４は、通信リンク３２を介して無線通信を送受信するための１つのアンテナ４６又は複数のアンテナを含む。アンテナ４６は、無線通信機４８及びモデム５０に接続されている。モデム５０は、インテル（ＩＮＴＥＬ）社により製造されるペンティアム（登録商標）（Pentium（登録商標））IIIプロセッサ・
システムなどのマイクロプロセッサ−ルータ・アセンブリ５２に接続される。マイクロプロセッサ−ルータ・アセンブリ５２は、そのセクタ３６内の全ての加入者ステーション２８の無線リソース管理を担当する。アセンブリ５２は、所望されるならば、多数のマイクロプロセッサを含むことができ、さらに／又は、必要に応じて、ルータが別個の装置として提供できることは理解されるだろう。マイクロプロセッサ−ルータ・アセンブリ５２内のルータは、適切な方法でバックホール５６に接続され、これにより、基地局２４をデータ電気通信ネットワーク（図示せず）に接続する。
【００２９】
次に図４を参照すると、加入者ステーション２８の一例が、より詳細に示される。加入者ステーション２８は、通信リンク３２を介して無線通信を送受信するための１つのアンテナ６０又は複数のアンテナを含む。アンテナ６０は、無線通信機６４及びモデム６８に接続され、該モデムは、マイクロプロセッサ−アセンブリ７２に接続される。
【００３０】
マイクロプロセッサ−アセンブリ７２は、Ａ／Ｄ−Ｄ／Ａ変換を実施したり、フィルタ、エンコーダ、デコーダ、データ圧縮、圧縮解除、及び／又はパケット組立て／分解を含む種々の機能を実行する、インテル社により製造されるストロングＡＲＭプロセッサを含むことができる。マイクロプロセッサ−アセンブリ７２はまた、通信リンク３２を介して基地局２４に転送するために待機している待機トラフィックを記憶する１つ以上のバッファ７４も含んでいる。
【００３１】
図４に示すように、マイクロプロセッサ−アセンブリ７２は、通信リンク３２を介して受信されるデータを使用するように動作可能なパーソナル・コンピュータや、パーソナル・デジタル・アシスタント（ＰＤＡ）などのデータ・クライアント装置（図示せず）に加入者ステーション２８を接続するために、モデム６８とデータ・ポート７６とを相互接続する。したがって、マイクロプロセッサ−アセンブリ７２は、データ・ポート７６及びモデム６８間でデータを処理するように動作可能である。マイクロプロセッサ−アセンブリ７２は、また、加入者ステーション２８を電話などの電話装置（図示せず）に接続するために、少なくとも１つの電話ポート８０と相互接続される。
【００３２】
図５を参照すると、ネットワーク２０におけるアップリンク・リソースの配分は、基地局２４のマイクロプロセッサ・アセンブリ５２上で、又は、システム２０内の他の適切な計算リソース上で作動する無線リソース・マネージャ（ＲＲＡＭ）１００によって制御される。ＲＲＡＭ１００は、加入者ステーション２８にＤＤＣＨ４０を割り当て、加入者ステーションからのＤＤＣＨ４０の割り当てを解除し、さらに、データ転送レート能力を加入者ステーション２８に配分、再配分することを担当する。ＤＤＣＨ４０に割り当てられたデータ転送レートは、加入者ステーション２８からの要求、及び、後述されるような利用できるアップリンク・リソースの量の要求に基づいて、その持続時間の間にわたって変化することがある。メディア・トラフィック、即ち、保証容量を必要とするトラフィックに対する容量の配分は、メディア・トラフィックが最低データ転送レートに応じて送信されることを保証するために、保証された最低データ転送レートが各ＤＤＣＨ４０に割り当てられる、アップリンク・リソースの予約を通じて実現される。
【００３３】
ＤＤＣＨ４０を有さない加入者ステーション２８は、ＲＡＣＨ４２上のＲＡＣＨ要求１１２を使用して専用チャネルを要求することができる。加入者ステーション２８から受信されたＲＡＣＨリクエスト１１２に応答して、さらに、以下で詳細に記載されるように、ＲＲＡＭ１００は、リソースがその加入者ステーション２８に対する新しいＤＤＣＨ４０を生成するために利用できるかどうかを判断する。リソースが利用できる場合、ＲＲＡＭ１００はＤＤＣＨ４０を割り当てる。リソースが利用できない場合、ＲＲＡＭ１００は、既に割り当てられたＤＤＣＨ４０を有する加入者ステーション２８のデータ転送レート能力を低下できるか、又は、割り当てられたＤＤＣＨ４０を備えた加入者ステーション２８が、必要とされるリソースを要求している加入者ステーション２８に対する新しいＤＤＣＨ４０をオープンするために利用可能にするように「キャンプ」状態に移動できるかどうかを判断する。加入者ステーション２８がキャンプ状態にあるとき、セクタ３６内に該加入者ステーションが存在することは基地局２４に知られているが、該加入者ステーションにＤＤＣＨ４０は割り当てられない。加入者ステーション２８がＲＡＣＨ要求１１２を送信し、所定の期間内に基地局２４から応答を受信しない場合、それでも加入者ステーション２８がＤＤＣＨ４０を要求するのであれば、そのＲＡＣＨ要求１１２を再送信することになる。
【００３４】
これらの通常動作の一部として、ＤＤＣＨ４０を割り当てられた加入者ステーション２８は、これらのＤＤＣＨ４０に対するデータ転送レート要件を示すために、（データ・トラフィックの）トラフィック量測定レポート１０４、又は、（電話サービスのようなメディア・トラフィックの）予約要求１０８を送信する。これらの測定レポート１０４又は予約要求１０８は、ＤＤＣＨ４０を介して基地局２４に伝送される。これらのメッセージに対する応答が所定期間の後に付与されない場合、これらのメッセージの要因である状態がまだ存在するのであれば、これらメッセージは再送信されることになる。
【００３５】
詳細には、各加入者ステーション２８は、バッファ７４において送信を待機しているパケットを待ち行列に入れ、本実施の形態では、バッファ７４におけるその待ち行列の長さが（送信される高トラフィック量を示す）所定の閾値を超えたり、又は、待ち行列の長さが（送信される低トラフィック量を示す）第１の閾値よりは低い第２の所定の閾値より減少するのであれば、いつでも、確認する測定レポート１０４を送信する。本実施の形態において、バッファ７４における待ち行列の長さは、測定レポート１０４を送信する前の所定の期間に対して、第１の所定の閾値を超えたり、又は、第２の所定の閾値より減少しなければならない。これは、送信されるトラフィック量の瞬間的なスパイクや、一時的休止に応答して測定レポート１０４を送信することを回避する。
【００３６】
加入者ステーション２８は、また、最小量の保証されたアップリンク・リソースを予約したり、又は、メディア・サービスに使用される最小量の保証されたアップリンク・リソースをリリースするために予約要求１０８を送信することもできる。加入者ステーションに割り当てられる保証されたアップリンク・リソースは、普通、使用中に加入者ステーションから離れて再び割り当てられるものではなく、したがって、メディア・トラフィックを送信するために使用することができる。
【００３７】
基地局２４は、測定レポート１０４及び予約要求１０８を受信し、ＲＲＡＭ１００内でシステム・イベントを生成する。これらのイベントに応答して、ＲＲＡＭ１００は、ＤＤＣＨ４０のデータ転送レートの変更が１つ以上の加入者ステーション２８に必要とされるかどうかを判断する。データ転送レートの増加が加入者ステーション２８に必要とされる場合、さらに、後述されるように、必要なリソースが利用できたり、利用可能とされる場合、基地局２４は、ＤＤＣＨ４０の帯域内(inband)信号を使用する新しいアップリンクＤＤＣＨ４０構成を加入者ステーション２８に通知し、加入者ステーション２８は新しい構成に切り換える。データ転送レートの変更に対して必要なリソースが利用できない場合、ＲＲＡＭ１００は測定レポートを無視し、次のレポートを考慮することになる。転送レートの低下が必要である場合、ＲＲＡＭ１００は、ＤＤＣＨ４０の帯域内信号を使用する新しいアップリンクＤＤＣＨ４０構成を影響される加入者ステーション２８に通知し、該加入者ステーション２８は新しい構成に切り換える。ＲＲＡＭ１００は、これらのイベントを受信すると、順番にこれらイベントに応答する。
【００３８】
上述のイベントのどれか１つに応答して、ＲＲＡＭ１００は、１つ以上のアップリンクＤＤＣＨ４０のサイズを変更できる。ＤＤＣＨ４０を備えた所与の加入者ステーション２８iに対して、新しいレートは、｛Rimin, R1, R2, …, RN｝として表示される１組の予め選択されたレート（Ｒ）から選択される。R1, R2, ... , RNは、ＤＤＣＨ４０に可能な１組の離散レートを示す。R1<R2<...<RNであり、RNは、加入者ステーション２８iに利用できる最高離散レートを示している。Ｒにおけるレートの数（Ｎ）は、ネットワーク・オペレータによって設定可能である。
【００３９】
Riminは、特定の加入者ステーション２８iに対して予約できる最低アップリンク・レート（例えば、キロビット／秒）であり、（もしあれば、）メディア・トラフィックに対する該加入者ステーションの現在のアップリンク予約に、非メディア・データ・トラフィックに割り当てられた最低データ転送レートを加えた和に等しい。このように、特定の加入者ステーション２８の何れかに対して、予約されたアップリンク容量の量が変化すると、Riminの値は経時変化する可能性がある。（RNが加入者ステーション２８に利用できる最大データ転送レートであることから、）Riminが、RNより小さなＲ値（R1, R2, ...）よりも大きくてもよいことは明らかである。加入者ステーション２８iごとにRiminのインスタンスが存在する。本実施の形態において、（ｋｂｐｓの）Ｒにおける各レート・バッファの値は、ネットワーク・オペレータによって設定可能である。
【００４０】
ＤＤＣＨ４０が、まず加入者ステーション２８iに割り当てられると、該加入者ステーションのRiminに等しいレートが最初に割り当てられる。加入者ステーション２８iの第１のレートの増加が認められると、Riminより大きい最小値Ｒが割り当てられる。以下のチャネル遷移において、加入者ステーション２８iのレートは、｛R1, R2, ... , RN｝のセットにおいて段階的に変化するが、該加入者ステーションのRiminよりも下がることはない。図６ａ乃至図６ｃは、４つの離散的レートのあるシステムにおいて、可能なチャネル遷移の一部の例を示している。図６ａは、Rimin < R1である場合の可能なチャネル遷移のセットを示している。図６ｂは、R1 < Rimin < R2である場合の、可能な遷移のセットを示している。図６ｃは、R2 <  Rimin <  R3である場合の、可能なチャネル遷移のセットを示している。これらの３つのシナリオのそれぞれにおいて、加入者ステーション２８は、少なくとも該加入者ステーションのRiminに等しいチャネル・レートを常に備えている。本実施の形態において、レートの変化は約５０ｍｓを必要とし、キャンプ状態（図示せず）から移動することは、一般に、レート間の遷移よりも長く時間がかかる（本実施の形態では、約５００ｍｓ）。これは、ＤＤＣＨがセットアップされなければならず、これにより、レートの変化に必要な時間に対して長い時間が必要とされるからである。
【００４１】
図７を参照する。ＲＲＡＭ１００は、各加入者ステーション２８上の情報を追跡する加入者レコード１１６のリストを維持する。本実施の形態において、各加入者レコード１１６は、少なくとも固有識別子１２０、最低アップリンク・レート１２４、アップリンク負荷係数１２８、及びレート・インデックス１３２を含む。固有識別子１２０は、特定の加入者ステーション２８に固有の値であり、加入者レコード１１６を追跡するために使用される。最低アップリンク・レート１２４は、加入者ステーション２８iに対するRiminを格納し、Riminが変化するときはいつでも更新される。アップリンク負荷係数１２８は、アップリンクＤＤＣＨ４０の現在のアップリンク負荷測定基準（Limin）を記憶する。当業者に公知であるように、アップリンク負荷測定基準は、環境的障害によって調整される割り当てデータ転送レートの負荷係数を表示する。Liminは、データ転送レートRiminにおけるアップリンクＤＤＣＨ４０のアップリンク負荷測定基準に等しい。最低アップリンク・レート１２４の値が変わればいつでも、アップリンク負荷係数１２８は更新される。レート・インデックス１３２は、（Ｒのセットからの）加入者ステーション２８iの現在のデータ転送レートに対するインデックス値（RateIdxi）を記憶する。レート・インデックス１３２は、０からＮまで変動し、０はRiminに対応し、ＮはＲの最大値に対応する。レート・インデックス１３２は、ＤＤＣＨ４０上のデータ転送レートが変化するときはいつでも、RateIdxiに対するその値を更新する。
【００４２】
ＲＲＡＭ１００はまた、各データ転送レートで異なる加入者ステーション２８を追跡する複数のレート・リスト１３６を維持する。各レート・リスト１３６は、レート・バッファ１３６ａを除いて、セットＲからの特定のアップリンク・データ転送レートと関連付けられている。レート・バッファ１３６ａは、特定のアップリンク・データ転送レートと関連付けられる代わりに、最小データ予約を備えた加入者ステーション２８のレコードを含む（レート・インデックスは０に等しい）。このように、レート・リスト１３６ａは、Rminのレートが割り当てられた各加入者ステーション２８のための識別子を維持し、レート・リスト１３６ｂは、Ｒ1のレートが割り当てられた各加入者ステーション２８のためのレコードを維持し、レート・リスト１３６ｃはＲ2と関連付けられている。以下は省略する。詳細には、レート・リスト１３６内の各加入者のレート・レコード１３８は、対応する識別子番号１２０と同一の識別子１４０、及び、特定の加入者ステーション２８が現在のデータ転送レートに移動した時間を示す遷移時間１４４を含んでいる。本実施の形態において、遷移時間１４４は、加入者ステーション２８が現在のレートに移動した時からのタイム・スタンプである。しかしながら、加入者ステーション２８がどれくらい長くその現在のレートのままであるかを決定する他の手段（転送されたフレームのカウンタなど）は、本発明の範囲内である。更に後述するように、ＲＲＡＭ１００は、加入者ステーション２８が低いほうのデータ転送レートに移動できるかどうかを判断するために、遷移時間１４４を最小保持時間と比較する。各レート・バッファ１３６において、加入者レート・レコード１３８は、現在のレート水準でそれらの経時の減少順に分類される。それぞれのレートの変化により、加入者レート・レコード１３８は、その現在のレート・リスト１３６から除去され、新しいデータ転送レートと一致している新しいレート・リスト１３６の下部に追加され、遷移時間１４４を更新する。
【００４３】
ＲＲＡＭ１００はまた、セクタ３６全体にわたって使用される複数の値を維持する。アップリンク負荷１４８は、セクタ３６内におけるＲＲＡＭ１００のアップリンク干渉（ηUL）推定値であり、全てのＤＤＣＨ４０の負荷に他の干渉をプラスした和を測定する。当業者に明らかであるように、ＣＤＭＡベースのシステムにおいて、セクタ３６内の各加入者ステーション２８iの伝送は、基地局２４の受信器で受信される信号に対するセクタ３６内の互いの加入者ステーション２８iの伝送に対する干渉として作用する。さらに、他のセクタ３６内の加入者ステーション２８i、他の基地局２４によりサービスを提供されたり、無線雑音源の影響を受ける加入者ステーション２８iなどの他の干渉源もまた、存在することになる。さらに、当業者によって明らかであるように、各加入者ステーション２８の伝送パワーは有限であり、理想的には可能な限り低く設定されるが、一方、各加入者ステーション２８が相互に他の加入者ステーション２８と干渉し合う程度を低下させるために、その信号を適切に受信する許容範囲にある確率を保証する。
【００４４】
ＣＤＭＡシステムには一般的であるように、開ループ及び閉ループのそれぞれの出力制御サイクルは共に、各加入者ステーション２８iの伝送出力レベルを管理するためにシステム２０において使用される。これらのサイクルが個々の加入者ステーション２８iの出力レベルを変更させることから、特定の加入者ステーション２８iからの信号に対して基地局受信器が受ける干渉、及び／又は、基地局受信器で受信される他の加入者ステーション２８の信号に対してその加入者ステーション２８iによって生成される干渉は、特定の加入者ステーション２８iのデータ転送において変化が生じない場合でも、経時変化することになる。さらに、１つの特定の加入者ステーション２８iを所与のデータ転送レート能力で送信させることにより、別の特定の加入者ステーションにより優れた又はより悪い無線伝播チャネルを持たせることになる場合とは大きく異なる影響を基地局受信器での干渉に及ぼすことがある。
【００４５】
このように、ＲＲＡＭ１００は、２つの数量の間に一定の関係がなくても、データ転送レート能力を提供するために、基地局受信器が受けることになる信号対干渉比を管理する。
【００４６】
ＲＲＡＭ１００は、周期的にアンテナ４６で受信されたアップリンク出力を測定し、ηULを更新する。さらに、ＲＲＡＭ１００は、各アップリンク・レート遷移の後に、ηULを更新する。本実施の形態において、アップリンク負荷１４８のインスタンスが、セクタ３６ごとに存在する。
【００４７】
承認閾値１５２は、基地局２４がネットワーク２０に対する更なる加入者ステーション２８を承認する最大アップリンク負荷値（TηUL）である。セクタのためのアップリンク負荷１４８が承認閾値１５２と等しくなるか、又は、これより大きくなると、基地局２４は、アップリンク負荷１４８を低下させずにネットワークに対する更なる加入者ステーション２８を承認することはない。本実施の形態において、承認閾値１５２のインスタンスが、セクタ３６ごとに存在し、ネットワーク・オペレータによって設定可能である。
【００４８】
最大アップリンク負荷１５６は、ＲＲＡＭ１００によって許可される最大アップリンク負荷値（maxηUL）である。セクタのためのアップリンク負荷１４８がこの変数に達するか、又は、これより大きくなると、ＲＲＡＭ１００は、アップリンク負荷を低下させ始め、加入者ステーション２８に割り当てられたＤＤＣＨ４０のレートを低下させたり、若しくは、ＤＤＣＨ４０を完全に放棄する。このパラメータの単一の値は、セクタ３６ごとに存在する。本実施の形態においては、システム及び環境要因によって制限されるが、最大アップリンク負荷１５８は設定可能である。
【００４９】
セクタ干渉比率１６０は、アンテナ４６で受信されたセクタ内干渉（ｑ）に対するセクタ間干渉の比率を記憶する。セクタ間干渉は、異なるセクタ３６又は異なる基地局２４から波及する加入者ステーション２８から受信される干渉である。セクタ内干渉は、同じセクタ３６内の加入者ステーション２８によって生成される干渉を示している。セクタ干渉比率１６０は、セクタ間干渉を考慮することによって、より正確に加入者ステーション２８のアップリンク負荷を計算するためにＲＲＡＭ１００によって使用される。ＲＲＡＭ１００は、アップリンク負荷測定値に基づいて周期的にｑを更新する。このパラメータの単一の値は、セクタ３６ごとに存在する。
【００５０】
最小保持時間１６４は、加入者ステーション２８がレートの減少に適任になる前に、特定のデータ転送レート（Ｒ）のままでいなければならない最小保持時間（minHoldingTime）の値を記憶する（更に後述される）。保持時間は、フレーム数（例えば、５００個のフレーム）又は期間（例えば、５秒）に置き換えて表わすこともできる。本実施の形態において、このパラメータの単一のインスタンスは、セクタ３６ごとに存在し、ネットワーク・オペレータによって設定可能である。しかしながら、最小保持時間１６４のインスタンスが加入者ステーション２８ごとに存在する可能性もあることは想定される。
【００５１】
maxULDDCH１６８は、セクタ３６において利用できる割り当て可能なアップリンクＤＤＣＨの最大数の値を記憶する。例えば、maxULDDCHが３０である場合、そのセクタは、割り当てられたＤＤＣＨ４０を備えた３０の加入者ステーション２８を同時にサポートすることができる。本実施の形態において、このパラメータの単一の値は、セクタ３６ごとに存在し、ネットワーク・オペレータによって設定可能である。
【００５２】
minDataRate１７２は、アップリンクＤＤＣＨ４０を備えた加入者ステーション２８のアップリンク・データ・トラフィックに予約される最小データ転送レートの値を記憶する。minDataRateは、ＲＡＣＨ要求１１２の後のアップリンクＤＤＣＨ４０の初レート、及び、任意のメディア予約のトップのデータ・トラフィックに割り当てられた最小レートを共に表示する。したがって、Riminは、メディア予約にminDataRateを加えたものに等しいと判断することができる。本実施の形態では、minDataRateの単一の値はセクタごとに存在する。
【００５３】
通常動作の過程において、ＲＲＡＭ１００は、測定レポート１０４、予約要求１０８、若しくは、基地局２４で受信されるＲＡＣＨ要求１１２を受信したり、又は、基地局２４でのアップリンク負荷アラーム１１４の生成などの異なるイベントに応答する。ＲＲＡＭ１００は、異なる負荷条件のもとでこれらのイベントに応答するために、複数の異なるＭＡＣストラテジーを使用する。例えば、加入者ステーション２８上の高レベルの待ち行列データを示している測定レポート１０４が、ＲＲＡＭ１００に、その加入者ステーションに対するＤＤＣＨ４０のデータ転送レートを増加させようとすることになり、低レベルの待ち行列データを示している測定レポート１０４は、ＲＲＡＭ１００に、ＤＤＣＨ４０のデータ転送レートを減少させようとすることになる。これらのＲＲＡＭ１００ストラテジーは、更に詳細に後述される。
【００５４】
図８を参照すると、基地局２４における受信ＲＡＣＨ要求リクエスト１１２に応答して加入者ステーション２８iにＤＤＣＨ４０を割り当てる方法が示されている。この方法は、ステップ２００から開始し、加入者ステーション２８iからのＲＡＣＨ要求１１２に応答して、ＲＲＡＭ１００がアップリンクＤＤＣＨ４０を加入者ステーション２８iに提供しようと試みる。前述したように、セクタ３６内のアップリンクＤＤＣＨ４０の総数は、maxULDDCH１６８に記憶されている数を超えることはない。ＤＤＣＨ４０の最大数が既に配分されている場合、本方法はステップ２０４に進み、ＲＲＡＭ１００が別の加入者ステーション２８jをキャンプ状態に移動させ、そのＤＤＣＨ４０を再配分しようと試みる。そうでない場合、本方法はステップ２１２に進む。
【００５５】
ステップ２０４において、ＲＲＡＭ１００は、割り当てられたＤＤＣＨ４０を備えた加入者ステーション２８jがキャンプ状態に移動できるかどうかを判断するために、レート・リスト１３６を検査する。本実施の形態において、加入者ステーション２８jは、レート・レコード１３８を備えたその時点における最低データ転送レートリスト１３６の最古の加入者ステーション２８である。さらに、加入者ステーション２８jは、最小保持時間１６４より長くその現在のデータ転送レート・リスト１３６内にあったはずであり、予約されたアップリンク容量（即ち、メディア予約）をその時点では保持してはいないはずである。これらの条件を満たす加入者ステーション２８がない場合、本方法はステップ２２４に進む。これらの状態が満たされる場合、本方法はステップ２０８に移動する。
【００５６】
ステップ２０８において、ＲＲＡＭ１００は、選択された加入者ステーション２８jをキャンプ状態に移動し、割り当てられているＤＤＣＨ４０をリリースする。この方法は、ステップ２２８に進む。
【００５７】
ステップ２１２において、ＲＲＡＭ１００は、最小データ転送レート１７２で新しいＤＤＣＨ４０上の加入者ステーション２８iを承認することが、承認閾値１５２より上になるようにアップリンク負荷１４８を増加させることにならないかどうかを確かめる。本実施の形態において、ηUL + (1+q) × L(minDatarate) ≦ TηULは、満たされていなければならない。これが満たされていれば、充分なアップリンク容量があるとみなされるからである。ＲＲＡＭ１００は、現在のアップリンク負荷１４８と、minDataRate１７２における新しいＤＤＣＨ４０の更なる負荷に、セクタ干渉比率１６０に１を加えたものを掛けたものと、をプラスしたものが、承認閾値１５２以下であるかを確かめる。充分なアップリンク容量が利用できる場合、本方法は、ＤＤＣＨ４０を割り当てるためにステップ２２８に進む。アップリンク容量が不充分である場合、本方法はステップ２１６に移動する。
【００５８】
ステップ２１６において、ＲＲＡＭ１００は、最小レートで新しい加入者ステーションを承認するために、他の加入者ステーション２８j上のデータ転送レートを減少させることができるかどうかを判断する。ＲＲＡＭ１００は、加入者ステーション２８jに対する容量を提供するために加入者ステーション２８jに必要なレート低減のステップ数を決定する。ＲＲＡＭ１００は、各自のRjminより高いデータ転送レート（即ち、レート・インデックス１３２が０より大きい）が割り当てられた最高レート・リスト１３６内の最古の加入者レート・レコード１３８を探し求める。少なくとも１つの加入者ステーション２８jが各自のRjminより高いレートである場合、本方法はステップ２２０に進む。それぞれのRjminより高いレートを有する加入者ステーション２８jがない場合、本方法はステップ２２４に進む。
【００５９】
ステップ２２０において、２つの条件のうちの１つが満たされるまで、加入者ステーション２８jのデータ転送レートは一度に一段階ずつ減少される。２つの条件とは、充分なリソースが加入者ステーション２８iの新しいＤＤＣＨ４０を承認するために使えるようになっていること、及び、転送レートの減少が、加入者ステーション２８jをそのRjminに至らせる（転送レート・インデックスが０に等しい）ことである。第１の条件は、ηUL + (1+q) × [L(minDataRate)+(LnewRateIDx−LrateIDx)] ≦ TηULの場合に満たされる。ＲＲＡＭ１００は、現在のアップリンク負荷１４８と、（セクタ干渉比率１６０に１を加えたものを掛けた）最低データ転送レート１７２の加入者ステーション２８iに対する新しいＤＤＣＨ４０の更なる負荷と、（セクタ干渉比率１６０に１を加えたものを掛けた）加入者ステーション２８jによって生じるアップリンク負荷における差分と、をプラスしたものが、承認閾値１５２以下であるかどうか確かめる。本実施の形態において、レートの減少は、図９に関して後述される方法に従って発生する。レートの減少が完了すると、加入者レコード１１６及びレート・リスト１３６内の全てのレコードは更新され、本方法はステップ２１２に戻り、充分なアップリンク・リソースが新しいＤＤＣＨ４０を承認するために使えるようになっているかどうかを確かめる。
【００６０】
ステップ２２４において、利用できるアップリンクＤＤＣＨ４０がないか、又は、充分なアップリンク・リソースが利用できないので、ＲＲＡＭ１００は、ＲＡＣＨ要求１１２を無視し、本方法は終了する。
【００６１】
ステップ２２８において、充分なリソースが利用できるとき、ＲＲＡＭ１００は、最低データ転送レート１７２の加入者ステーション２８iにアップリンクＤＤＣＨ４０を割り当て、加入者ステーション２８iは加入者レコード１１６及びレート・リスト１３６に入れられる。加入者ステーション２８iは、専用のアップリンクＤＤＣＨ４０を有し、メディア予約、及び／又は、そのデータ転送レートの増加を要求することができる。受信されたＲＡＣＨ要求１１２に応答してＤＤＣＨ４０を加入者ステーション２８iに割り当てるための方法が、終了する。
【００６２】
図９を参照すると、アップリンクＤＤＣＨ４０を加入者ステーション２８iのための高速又は低速データ転送レートにサイズ変更するための方法が示されている。該方法は、ステップ２３０から開始する。ステップ２３０において、ＲＲＡＭ１００は、｛Rimin, R1, R2, ..., RN｝のセットからの新しいデータ転送レートＲに移動している加入者ステーション２８iの通信リンク３２上のアップリンクＤＤＣＨ４０を再構成する。ＤＤＣＨ４０の再構成方法は、特に制限されないが、当業者には公知である。
【００６３】
ステップ２３２において、レート・リスト１３６は、新しいアップリンクＤＤＣＨ４０を反映するために更新される。これは、その現在のレート・リスト１３６から加入者レート・レコード１３８を除去し、該加入者レート・レコードを、現在のシステム時間に設定された更新した遷移時間１４４を備えたその新しいレート・リスト１３６の端部に追加することを含む。
【００６４】
ステップ２３４において、ＲＲＡＭ１００は、ステップ２３２におけるレートの変化に基づいて、アップリンク負荷１４８の推定値を更新する。ＲＲＡＭ１００は、まず、加入者ステーション２８iの負荷係数の変化を計算する。差分は、セクタ干渉比率１６０に１を加えたものによって調整される。調整された負荷係数差分は、現在のアップリンク負荷１４８に加えられる。本実施の形態において、ＲＲＡＭ１００は、ηUL = ηUL +(1+q) × (Lnew−Lold)を使用してアップリンク負荷１４８を更新する。
【００６５】
ステップ２３６において、ＲＲＡＭ１００は、レート・インデックス１３２を新しいレートＲに合わせる。この時点で、ＲＲＡＭ１００はそのレコードを更新し、アップリンクＤＤＣＨ４０のサイズ変更を行なっている。本方法は、ＤＤＣＨ４０をそれぞれサイズ変更するために必要に応じて繰り返される。
【００６６】
図１０を参照すると、加入者ステーション２８iによって送信され、基地局２４により受信される低トラフィック量測定レポート１０４に応答する方法が示されている。該方法は、ステップ２３８から開始する。待ち行列の長さが短いことを示す測定レポート１０４は、バッファ７４におけるそのトラフィック待ち行列が、予め設定された期間に対してその第２の閾値よりも減少したことを報告するために加入者ステーション２８によって送信され、従って、送信されるデータ・トラフィックの量が低いことを示している。測定レポート１０４に応答して、ＲＲＡＭ１００は、アップリンク・リソースの今後の要求のためのネットワーク・リソースをこれに応じて使える状態にするためにＤＤＣＨ４０のサイズを縮小させることになる。
【００６７】
ステップ２３８において、ＲＲＡＭ１００は、加入者ステーション２８iにその時点でアップリンクＤＤＣＨ４０が割り当てられているかどうかを確かめる。加入者ステーション２８iにアップリンクＤＤＣＨ４０がその時点で割り当てられていない場合、本方法は終了する。ＲＲＡＭ１００が、測定レポート１０４を受信する前に別のイベントに応答してアップリンクＤＤＣＨ４０を閉じることを既に決定した場合、この条件は存在する可能性がある。そうでない場合、本方法はステップ２４０に進む。
【００６８】
ステップ２４０において、ＲＲＡＭ１００は、加入者ステーション２８iのレート・インデックス１３２がその時点で０である（即ち、加入者ステーション２８iが、その時点でRiminである）かどうか確かめる。現在のレート・インデックス１３２が０である場合、本方法は終わる。そうでない場合、本方法はステップ２４２に進む。
【００６９】
ステップ２４２において、ＲＲＡＭ１００は、｛Rimin, R1, R2, …, RN｝のセットから一段階ずつ加入者ステーション２８iのチャネル・レートＲを低下させる。ＲＲＡＭ１００は、加入者レコード１１６を更新し、図９に関して上記した方法にしたがって、加入者レート・レコード１３８を次に低いレート・バッファ１３６に移動させる。ＲＲＡＭ１００は、低容量測定レポート１０４を処理するためにその応答を完了させている。今後のレートの減少は、加入者ステーション２８が更に低いトラフィック量測定レポート１０４を送信し続けると、発生することになる。
【００７０】
図１１を参照すると、高容量を示している基地局２４で受信される測定レポート１０４に応答する方法が示されている。高トラフィック量を示している測定レポート１０４は、少なくとも１つのバッファ７４におけるそのトラフィック待ち行列や、そのバッファ７４の全ての合計が予め設定された値まで上昇し、予め設定された期間に対しては存在していたことを報告するために加入者ステーション２８iによって送信され、このように、送信を待っている多数の待機パケットを示している。これに応じて、ＲＲＡＭ１００は、割り当てられたＤＤＣＨ４０のサイズを直ちに増大できるかどうか、又は、別の加入者ステーション２８jに割り当てられたＤＤＣＨ４０のサイズを調整できるかどうかを確かめることになり、再生された容量を、それを必要とする加入者ステーション２８iに転送するために、割り当てられたＤＤＣＨ４０のサイズを増大させる。
【００７１】
本方法はステップ２４４から開始し、ＲＲＡＭ１００は、加入者ステーション２８iにアップリンクＤＤＣＨ４０がその時点で割り当てられるかどうかを確かめる。加入者ステーション２８iがその時点で割り当てられるアップリンクＤＤＣＨ４０を有していない場合、本方法は終了する。ＲＲＡＭ１００が別のイベントに応答してアップリンクＤＤＣＨ４０を閉じることを既に決定している場合、この条件は存在する可能性がある。そうでない場合、本方法はステップ２４４に進む。
【００７２】
ステップ２４６において、ＲＲＡＭ１００は、加入者ステーション２８iのレート・インデックス１３２がその時点でＮである（即ち、加入者ステーション２８iがその時点で最高データ転送レートである）かどうかを確かめる。レート・インデックス１３２がその時点でＮ（即ち、最大値）である場合、ＲＲＡＭ１００は測定レポート１０４を無視し、本方法は終了する。そうでない場合、本方法はステップ２４８に進む。
【００７３】
ステップ２４８において、ＲＲＡＭ１００は、加入者ステーション２８iのより高いレートＲを見出す。より高いレートＲは、RrateIdx+1（より高いレートＲはＲの現在値よりも一段階高い）である。あるいは、Ｒがその時点でＲ0である場合、より高いレートは、（図６ｂ及び図６ｃに示すように）ＲNを最大値とし、R ＞ Riminの最低値である。
【００７４】
ステップ２５２において、ＲＲＡＭ１００は、加入者ステーション２８iがより高いレートＲで送信するように充分な出力ヘッドルームを有するかどうか確かめる。そうでない場合、加入者ステーション２８iはその時点でより高いレートで送信することができず、本方法は終了する。当業者に公知であるように、出力ヘッドルームは、（システム制約又は規制上の制約によって制限されるような）最大限に利用できるパワー出力を示している。本実施の形態において、加入者ステーション２８のための最大出力ヘッドルームは、各加入者ステーション２８が周期的に基地局２４にＤＤＣＨ４０上のその送信出力レベルを知らせることから、基地局２４には知られている。しかしながら、充分な出力ヘッドルームがあるか否かを決定する方法は、特に限定されず、他の方法が当業者には明らかである。そうでない場合、本方法はステップ２５６に進む。
【００７５】
ステップ２５６において、ＲＲＡＭ１００は、加入者ステーション２８iに対するレートの増加を可能にするためにネットワークにおいて利用できるアップリンク・リソースが充分にあるかどうかを確かめる。本実施の形態において、ＲＲＡＭ１００は、アップリンク負荷１４８の増加（加入者ステーション２８jにおける負荷の推定増加分にセクタ干渉比率１６０に１を加えたものを掛けた）がアップリンク負荷１４８を承認閾値１５２に等しくするか、又は、それを越えさせるかどうかを確かめる。これを行うために、ＲＲＡＭ１００はηUL +(1+q) × (Lnew − Lold) ≦ TηULの条件を検査する。この条件が真である場合、レートの増加を可能にするために利用できる充分なアップリンク・リソースがあるとみなされ、本方法はステップ２６０に進む。アップリンク負荷１４８を承認閾値１５２に等しくするか、又は、それ以上にすることなくレートの増加を許可するようにネットワークにおいて利用できる充分なアップリンク・リソースがない場合、本方法はステップ２６４に進む。
【００７６】
ステップ２６０において、ＲＲＡＭ１００は、加入者ステーション２８iのチャネル・レートＲを｛Rimin, R1, R2, ..., RN｝のセットから一段階だけ増加させる。ＲＲＡＭ１００は、加入者レコード１１６を更新し、図７に示す方法に従って、加入者レート・レコード１３８を次に低いレート・バッファ１３６に移動させる。高トラフィック量トラフィック測定レポート１０４に応答するための方法は、完了する。今後のレートの増加は、更なる高トラフィック量測定レポート１０４が送信されるとき、発生することがある。
【００７７】
ステップ２６４において、ＲＲＡＭ１００は、加入者ステーション２８iに対するレートの増加を可能にするために、他の加入者ステーション２８jにその時点で割り当てられているアップリンク・リソースを使えるようにできるかを確かめる。本実施の形態において、ＲＲＡＭ１００は、何れかの加入者ステーション２８jが、０より大きいレート・インデックス１３２（RateIdxj）（即ち、加入者ステーション２８jがそれ自身の最低アップリンク・レート１２４よりも高いデータ転送レートで送信している）で、及び、加入者ステーション２８jの現在のRateIdxiよりも高いレートで、送信しているかどうかを判断する。両方の条件が少なくとも１つの加入者ステーション２８jによって満たされる場合、本方法はステップ２６６に進む。加入者ステーション２８jがこれら両方の条件を満たしていない場合、ＲＲＡＭ１００は測定レポート１０４を無視し、加入者ステーション２８iにレートの増加を許可しない。
【００７８】
ステップ２６６において、ＲＲＡＭ１００はどの加入者ステーション２８jが（ステップ２６４において設定された基準を満たした１つ以上の加入者ステーション２８jがある場合）、レートの減少の対象とされるかを判断する。ＲＲＡＭ１００は、その時点で使用中である最高レートで最古の加入者ステーション２８jを見出す。レート・レコード１３８を備えた最高レート・リスト１３６を初めとして、ＲＲＡＭ１００は、予め選択された最小保持時間１６４より長い保持時間を有する最古のレート・レコード１３８を見つけ出すために各加入者ステーション２８jのレート・レコードを確認する。第１の加入者ステーション２８jは、この条件を満たすものがレートの減少の対象とされることになることを見出した。加入者ステーション２８jがレートの減少の対象とされると、本方法はステップ２６８に進む。ＲＲＡＭ１００が、少なくとも最小保持時間１６４に対してそれぞれのその時点のデータ転送レートにある加入者ステーション２８jが存在しないことを判断すると、動作中の加入者ステーション２８jのレートを減少させないことになる。その代わりに、ＲＲＡＭ１００は、高容量測定レポート１０４を無視し、本方法を終了する。
【００７９】
ステップ２６８では、図７に示す方法を使用して、加入者ステーション２８jに対するアップリンク・データ転送レートは、｛Rimin, R1, R2, ..., RN｝のセットにおいて一段階低下される。、即ち、ＲiからＲi-1まで低下される。本方法は、充分なアップリンク・リソースがここで利用できるかどうか確かめるためにステップ２５６に戻る。このようにして、複数の加入者ステーション２８が、加入者ステーション２８iに充分なアップリンク・リソースを提供するために、それぞれのデータ転送レートを減少させることができる。
【００８０】
図１２を参照すると、アップリンク・リソースを予約するために予約要求１０８に応答する方法が、ステップ２７６から始まる。アップリンク・リソースを予約するための予約要求１０８は、特に電話サービスなどの待ち時間が容認できない用途に対して、加入者ステーション２８iが一定の最低データ転送レートを必要とするとき、一般に発生する。しかしながら、アップリンク・リソースを予約するための他の基準（例えば、特別顧客に対するＱｏＳタームを保証する）は、本発明の範囲内である。予約要求１０８は、ネットワーク２０上の加入者ステーション２８iから送られたり、又は、ネットワーク２０内の他の場所、若しくは、加入者ステーション２８iの宛て先を備えた（即ち、外からの電話の呼び出しに対する）ネットワーク２０の外部から出ていることもある。これに応答して、ＲＲＡＭ１００は、メディア・サービスに対する所望のアップリンク・リソースを配分することができるか確かめる。加入者ステーション２８は、新しい予約要求１０８を送信するとき、アップリンク・リソースを既に予約していることがある。この状況が発生する可能性がある場合の一例は、電話の呼び出しが加入者ステーション２８i及び基地局２４間でその時点でセットアップされ、第２の電話の呼び出しがこれら２つの間にセットアップされるときである。別の例は、さらに電話の呼び出しのための音声コーデックの変化（例えば、Ｇ．７２９ａｂからＧ．７１１）である。こうした状況において、予約されたアップリンク・リソースの既存量は、新しい電話サービスに適応するために増大されることがある。更なるアップリンク・リソースを予約する他の例が、当業者には想定されるだろう。
【００８１】
本方法は、ステップ２７６から始まり、ＲＲＡＭ１００は、この新しいアップリンク・リソース予約を承認するために必要とされる新しい最低アップリンク・レート１２４及び新しいアップリンク負荷係数１２８を計算する。加入者ステーション２８iが（キャンプ状態にある加入者ステーション２８に対する入ってくる電話呼び出しなどの）アップリンクＤＤＣＨ４０を有していない場合、ＲＲＡＭ１００は、その新しい最小アップリンク・レート１２４を、最低データ転送レート１７２とメディア予約に必要とされるデータ転送レートとをプラスしたもの（Rimin = RinewMedia + minDataRate）に、設定する。加入者ステーション２８iが既にアップリンクＤＤＣＨ４０を有する場合、その新しい最小アップリンク・レート１２４は、その現在の最小アップリンク・レート１２４に、メディア予約に必要なデータ転送レートをプラスした和である（Rimin = current Rimin + RinewMedia）。アップリンク負荷係数１２８に対して、新しい負荷係数は、L(new Rimin)である。
【００８２】
ステップ２８０において、ＲＲＡＭ１００は、Ｒが新しいメディア予約及び既存のデータ・トラフィックの両方をＲNの最大に適応させるように、加入者ステーション２８iのための新しいレート・インデックス１３２を計算する。このnewrateIdxは、｛Rimin, R1, R2, ..., RN｝のセット内の現在のoldrateIdxi + RinewMedia以上である。
【００８３】
ステップ２８４において、ＲＲＡＭ１００は、要求された予約に対して充分なアップリンク・リソースが利用できるかどうか、ネットワーク２０が承認閾値１５２を超えないかどうかを確かめる。ＲＲＡＭ１００は、（セクタ干渉比率１６０に１をプラスしたものを掛けた）負荷係数の差分をプラスした現在のアップリンク負荷１４８が、承認閾値１５２以下であるかどうか確かめる。本実施の形態において、ηUL + (1 + q) × ΔLi ≦ TηULの条件が、検査される。この条件が満たされない場合、充分なアップリンク・リソースがその時点で利用できないものとみなされ、本方法はステップ２８８に進む。この条件が満たされる場合、充分なアップリンク・リソースが利用できるとみなされ、本方法はステップ３０８に進む。
【００８４】
ステップ２８８において、ＲＲＡＭ１００は、ネットワーク２０内の他の場所にあるアップリンク・リソースを使えるかどうか確かめる。ＲＲＡＭ１００は、アップリンクＤＤＣＨ４０を備えた加入者ステーション２８jがレートの減少に適しているかどうか判断する。この条件は、レート・リスト１３６に記憶されたそのRjminより高いデータ転送レートを備えた加入者ステーション２８jが少なくとも１つある場合、真である。レートの減少に適した加入者ステーション２８jがない場合、メディア予約は保証できず、本方法は終了する。そうでない場合、本方法はステップ２９２に進む。
【００８５】
ステップ２９２において、システムは、どの加入者ステーション２８jがそのアップリンク・データ転送レートを低下させることになるかを判断する。本実施の形態において、そのレートを低下させるための加入者ステーション２８jは、最も長い遷移時間１４４を有し、最高レート・リスト１３６に記憶される加入者ステーション２８jである。レートの減少の対象とされる加入者ステーション２８jが、加入者ステーション２８i、即ち、新しいメディア予約を要求している加入者ステーション２８である可能があることを留意すべきである。加入者ステーション２８jがレートの減少のために選択されると、本方法はステップ２９６に進む。
【００８６】
ステップ２９６において、システムは、加入者ステーション２８jの新しい減少されたレート・インデックス１３２を決定する。新しいデータ転送レートは、加入者ステーション２８iのための新しいメディア予約を承認するために充分なアップリンク・リソースを使えるようにすると共に、加入者ステーション２８jのためのその時点での予約要件を維持する加入者ステーション２８jのための最高レート・インデックス１３２でのデータ転送レートである。本実施の形態において、newRatelDxjは、ηUL + (1 +q) × [ ΔLi + (Lnew − Lold)] ≦ TηULの条件を満たすために計算される。加入者ステーション２８jのためのレート・インデックス１３２は、上記の条件が真になるか、若しくは、レート・インデックス１３２が０に等しくなるまで、即ち、加入者ステーション２８jがRjminに減少されるまで、一度に一段階ずつ減少される。新しいレート・インデックス１３２が決定されると、本方法はステップ３００に進む。あるいはまた、レート・インデックス１３２が（０の最小値に）単一ステップで減少される可能性があることが想定される。
【００８７】
ステップ３００において、加入者ステーション２８jのためのデータ・トラフィックのレートは、新しいメディア予約が承認され得るようにステップ２９６において決定された新しいレート・インデックス１３２に減少される。加入者ステーション２８jのためのデータ転送レートは、図８において述べられたように、これに応じて減少され、ＲＲＡＭ１００は、レート・レコード１１６及びレート・リスト１３６を更新する。ＲＲＡＭ１００が加入者ステーション２８jのデータ転送レートを減少させると、本方法はステップ３０４に進む。
【００８８】
ステップ３０４において、ＲＲＡＭ１００は、加入者ステーション２８iのための新しいメディア予約を承認するために利用できるアップリンク・リソースが充分にあるかどうかを確かめる。（ηUL + (1 +q) × [ ΔLi + (Lnew − Lold)] ≦ TηULによって決定されるように、）その条件が真である場合、本方法はステップ３０８に移動する。そうでない場合、本方法は、レートの減少の対象とするための更なる加入者ステーション２８jを見出だすためにステップ２８８に戻る。
【００８９】
ステップ３０８において、ＲＲＡＭ１００は、新しいメディア予約を承認する準備ができている。加入者ステーション２８iが確立されるべきＤＤＣＨ４０を要求する（即ち、加入者ステーション２８iはその時点で割り当てられたＤＤＣＨ４０を有していない）場合、本方法はステップ３１２に移動する。加入者ステーション２８iが割り当てられたアップリンクＤＤＣＨ４０を既に有する場合、本方法はステップ３２０に進む。
【００９０】
ステップ３１２において、ＲＲＡＭ１００は、加入者ステーション２８iにＤＤＣＨ４０を割り当てる。ＤＤＣＨ４０を割り当てるための方法は、図８を参照して先に説明された。ＤＤＣＨ４０が設定されると、加入者レコード１１６及びレート・リスト１３６は、これに応じて更新される。
【００９１】
ステップ３２０において、ＲＲＡＭ１００は、新しいメディア予約に対応するために加入者ステーション２８iのＤＤＣＨ４０のサイズを変更する。本実施の形態において、サイズ変更は、図１０を参照して先に説明された方法に従って発生する。ステップ３１２又は３２０の後に、ＲＲＡＭ１００は、予約要求１０８に対する応答を終了させる。
【００９２】
図１３は、予約アップリンク・リソースをリリースするために加入者ステーション２８iからの予約要求１０８に応答するための方法を示している。加入者ステーション２８iが電話の呼出を終了するようなそのメディア・アプリケーションを完了したときに、このような状況が一般に発生することになる。それに応答して、ＲＲＡＭ１００は、アップリンク・リソースの予約をリリースする。加入者ステーション２８は、それでも別のメディア予約を維持すると共に、メディア予約を閉じることができる。このような事態において、予約されたアップリンク・リソースの全体量は減少するだけである。
【００９３】
本発明はステップ３２４から開始し、ＲＲＡＭ１００は新しい最小アップリンク・レート１２４を計算する。新しい最小アップリンク・レート１２４は、閉じられるべきメディア予約のレートを差し引いたその時点の最小アップリンク・レート１２４である。本実施の形態において、newRimin = current Rimin - RioldMediaである。本方法は、ステップ３２８に進む。
【００９４】
ステップ３２８において、ＲＲＡＭ１００は、新しい最小アップリンク・レート１２４と関連付けられる新しいアップリンク負荷係数１２８を計算する。本実施の形態において、新しいアップリンク負荷係数１２８は、L(Rimin)である。
【００９５】
次に、ステップ３３２において、ＲＲＡＭ１００は、加入者ステーション２８iのレート・インデックス１３２が０であるかどうか確かめる。レート・インデックス１３２が０に等しい場合、本方法はステップ３３６に進む。そうでない場合、本方法はステップ３４０に進む。
【００９６】
ステップ３３６において、ＲＲＡＭ１００は、Riminの新しいデータ転送レート（即ち、rateIDx=0）のための加入者ステーション２８iのアップリンクＤＤＣＨ４０を再構成し、レート・リスト１３６に記憶されたレコードを更新する。ＲＲＡＭ１００はまた、ηUL = ηUL + (1+q) × ΔLiであるように、推定されたアップリンク負荷１４８を更新する。レコードを更新した後に、ＲＲＡＭ１００は本方法を終了する。
【００９７】
ステップ３４０において、ＲＲＡＭ１００は、残りの全てのメディア予約及びデータ・トラフィックを伝達するように操作可能なセットＲからの最低データ転送レートとして新しいレート・インデックス１３２を決定する（加入者ステーション２８iがここで予約されたメディア・トラフィックを有していない場合、Riminは最低データ転送レート１７２に等しい。システムは、図７において説明された方法に従って加入者ステーション２８iのデータ転送レートを修正し、ＲＲＡＭ１００はレート・リスト１３６の全てのレコードを更新する。
【００９８】
環境的干渉の増加、又は、基地局２４のハードウェアやソフトウェアの構成要素の故障が発生する場合、推定されたアップリンク負荷１４８は、最大アップリンク負荷１５６を超える可能性があった（ηUL ≧ maxηUL）。上記のように、この状況は、ネットワーク２０の動作に有害な影響を及ぼす可能性があり、ＲＲＡＭ１００にアップリンク負荷アラーム１１４を生成させる。図１４を参照すると、このようなアップリンク負荷アラーム１１４を処理する方法は、ステップ３７２から開始する。
【００９９】
ステップ３７２から開始し、ＲＲＡＭ１００は、加入者ステーション２８がレートの減少に適しているかどうかを判断する。加入者ステーション２８iは、そのRiminよりも高いデータ転送レートであるならば、レートの減少に適している。１つ以上の加入者ステーション２８iがレートの減少に適している場合、本方法はステップ３７６に進み、ＲＲＡＭ１００が、遷移時間１４４において最高値を有する最高レート・リスト１３６における加入者ステーション２８iを選択する。レートの減少の基準を満たす加入者ステーション２８がない場合、本方法はステップ３８４に進む。
【０１００】
ステップ３７６において、ＲＲＡＭ１００は、選択された加入者ステーション２８iのためのデータ転送レートを一段階（即ち、RiからRi-1まで）減少させ、これに応じて加入者リスト１１６及びレート・リスト１３６のレコードを更新する。加入者ステーション２８iのためのレートを減少させ、そのレコードを更新する方法は、図７を参照して上述された。加入者ステーション２８iのレートを減少させた後に、本方法はステップ３８０に進む。
【０１０１】
ステップ３８０において、アップリンク負荷アラーム１１４がネットワーク２０に対してまだ存在するかどうか、即ち、更なる転送レートの減少が要求されるかどうかを判断する。アップリンク負荷アラーム１１４がまだ存在する場合（ηUL ≧ maxηUL）、本方法はステップ３７２に戻る。アップリンク負荷アラーム１１４がもはや存在しない場合（ηUL ＜ maxηUL）、本方法は終了する。
【０１０２】
ステップ３８４において、ＲＲＡＭ１００は、推定されたアップリンク負荷１４８を減少させるために低い優先度の加入者ステーション２８を取り除く可能性があるかどうか判断する。加入者ステーション２８は、その時点でメディア予約を有していない場合、優先度が低いと考えられる。メディア予約を有していないＤＤＣＨ４０を備えた加入者ステーション２８iがある（即ち、Rimin = minDataRate）場合、本方法はステップ３８８に進む。そうでない場合、本方法はステップ３９６に進む。
【０１０３】
ステップ３８８において、ＲＲＡＭ１００は、最長期間にわたって最低レート・リスト１３６にある、Rimin = minDataRateを備えた加入者ステーション２８iの接続を取り除く。加入者ステーション２８iは、加入者リスト１１６及びレート・リスト１３６から削除される。ＲＲＡＭ１００はまた、ηUL = ηUL−(1+q) × Liminを使用して加入者ステーション２８iを取り除いたアップリンク負荷１４８の推定値を更新する。加入者ステーション２８iが取り除かれると、本方法はステップ３９２に進む。
【０１０４】
ステップ３９２において、ＲＲＡＭ１００は、アップリンク負荷アラーム１１４がネットワーク２０のためにまだ存在するかどうか判断する。アップリンク負荷アラーム１１４がまだ存在する場合、本方法は、取り除かれる可能性のあるメディア予約のない加入者ステーション２８がまだあるかどうかを判断するために、ステップ３８４に戻る。アップリンク負荷アラーム１１４がもはや存在しない場合、本方法は終了する。あるいはまた、加入者ステーション２８がそれらのメディア予約を取り除くことができるかどうかを確かめるために、本発明をステップ３７２に戻すこともできることが想定される。
【０１０５】
ステップ３８４においてメディア予約のない加入者ステーション２８がない場合、本方法は、ステップ３９６に進み、ＲＲＡＭ１００がランダムに加入者ステーション２８を取り除く。加入者ステーション２８iは、加入者リスト１１６及びレート・リスト１３６から取り除かれる。ＲＲＡＭ１００はまた、取り除かれた加入者ステーションの負荷係数（セクタ干渉比率１６０に１をプラスしたものを掛けたもの）を取り除くように（ηUL= ηUL−(1+q) × Limin）、アップリンク負荷１４８の推定値を更新する。加入者ステーション２８iに対する接続が取り除かれると、本方法はステップ４００に進む。
【０１０６】
ステップ４００において、ＲＲＡＭ１００は、アップリンク負荷アラーム１１４がセクタ３６に対してまだ存在しているかどうかを判断する。アップリンク負荷アラーム１１４がまだ存在する場合、本方法は、別の加入者ステーション２８をランダムに取り除くためにステップ３９６に戻る。あるいはまた、本方法はステップ３７２に戻ることもできる。アップリンク負荷アラーム条件がもはや存在しない場合、本方法は終了する。
【０１０７】
本発明は、利用できるアップリンク・リソースの効率的利用を保証し、及び、アップリンク加入者ステーション２８間で公平さを提供するためにアップリンク・リソースを管理するシステムを提供する。ＲＲＡＭ１００は、高トラフィック量／低トラフィック量レポート１０４、予約要求１０８、又は、ＲＡＣＨ要求１１２の受信などの複数の異なるシステム・イベントに応答する。一般に、ＲＲＡＭ１００は、バッファ７４における待ち行列を維持する加入者ステーション２８に対して、第１の閾値及び第２の閾値間の可能な最低データ転送レートＤＤＣＨ４０を配分しようとする。
【０１０８】
ＲＲＡＭ１００は、加入者ステーション２８間の（ネットワーク・オペレータにより定義されるような）「公平性」を実施するためにレートの減少ポリシー（手段）を用いる。利用できるアップリンク・リソースが不充分であるとき、ＲＲＡＭ１００は、第１の加入者ステーション２８からのレートの増加に対して場所をあけるために、より高いデータ転送レートでその時点で送信している別の加入者ステーション２８のレートを下げようとする。ＲＲＡＭ１００は、高レートの候補加入者ステーション２８を求めて、最高レート・リスト１３６からサーチし始める。ＲＲＡＭ１００は、適切な候補加入者ステーション２８が見出されるまで、より低いデータ転送レートを探し求め続ける。このポリシーは、他の低いレート加入者ステーション２８がより多くの帯域幅を必要としている場合に、加入者ステーション２８が高いデータ転送レートを捕捉することを防止する。レートの増加を必要としている多数の加入者ステーション２８による混雑期間にわたって、第１の閾値を越えるトラフィック待ち行列を備える加入者ステーション２８の各々が、異なる加入者ステーション２８によって押し下げられる前の一定の期間にわたってのみ、高速データ転送レートを保持するようにして、高速データ転送レートは加入者ステーション２８に割り当てられる。新しいＤＤＣＨ４０に対するＲＡＣＨ１１２要求に応答して、ＲＲＡＭ１００は、メディア予約なしの低速データ転送レートの加入者ステーション２８を取り除くことがある。加入者ステーションからのトラフィック測定レポートに応答して、ＲＲＡＭは、加入者ステーションのデータ転送レートを増加させることを試みる。
【０１０９】
本発明の上記の実施の形態は、本発明の例であることが意図され、本明細書に添付される特許請求の範囲によってのみ定義される本発明の範囲内において、変更及び修正が当業者によってなされることもできる。
【図面の簡単な説明】
【０１１０】
【図１】本発明の実施の形態による無線ネットワークを概略的に示す図である。
【図２】複数のチャネルを含む、図１に示される通信リンクを示す図である。
【図３】図１に示される基地局を概略的に示す図である。
【図４】図１に示される加入者ステーションの１つを概略的に示す図である。
【図５】図２に示される通信リンクを介して、加入者ステーションと基地局との間に送信されるイベント・メッセージを示す図である。
【図６ａ】図１に示されるネットワークのチャネル遷移の状態図である。
【図６ｂ】図１に示されるネットワークのチャネル遷移の状態図である。
【図６ｃ】図１に示されるネットワークのチャネル遷移の状態図である。
【図７】図３に示される基地局で稼動する無線リソース・マネージャを概略的に示す図である。
【図８】無線リソース・マネージャがアップリンクＤＤＣＨの配分を処理する方法を示しているフローチャートである。
【図９】アップリンクＤＤＣＨのサイズ変更を示しているフローチャートである。
【図１０】無線リソース・マネージャが低トラフィック量測定レポートを処理する方法を示しているフローチャートである。
【図１１】無線リソース・マネージャが高トラフィック量測定レポートを処理する方法を示しているフローチャートである。
【図１２】無線リソース・マネージャがアップリンク・リソースを予約するための要求を処理する方法を示しているフローチャートである。
【図１３】無線リソース・マネージャが予約されたアップリンク・リソースをリリースするための要求を処理する方法を示しているフローチャートである。
【図１４】無線リソース・マネージャがアップリンク負荷アラームを処理する方法を示しているフローチャートである。
【図１】
2005539414.tif 000003
【図２】
2005539414.tif 000004
【図３】
2005539414.tif 000005
【図４】
2005539414.tif 000006
【図５】
2005539414.tif 000007
2005539414.tif 000008
【図７】
2005539414.tif 000009
【図８】
2005539414.tif 000010
【図９】
2005539414.tif 000011
【図１０】
2005539414.tif 000012
【図１１】
2005539414.tif 000013
【図１２】
2005539414.tif 000014
【図１３】
2005539414.tif 000015
【図１４】
2005539414.tif 000016